(57)【特許請求の範囲】
【請求項１】
セルラ基地局と協調する特定機器が、セルラ周波数帯域内、かつ、特定の期間において、前記特定機器の存在を知らせるための発見用信号をブロードキャストするステップと、
前記セルラ基地局に接続するユーザ端末が、前記セルラ周波数帯域内、かつ、前記特定の期間において、前記発見用信号をスキャンするステップと、を含み、
前記特定の期間は、前記セルラ基地局により指定され、
前記特定機器は、無線ＬＡＮアクセスポイントであることを特徴とする通信制御方法。
【請求項２】
セルラ基地局に接続するユーザ端末であって、
前記セルラ基地局と協調する特定機器がブロードキャストする発見用信号を、セルラ周波数帯域内、かつ特定の期間においてスキャンする制御部を備え、
前記特定の期間は、前記セルラ基地局により指定され、
前記特定機器は、無線ＬＡＮアクセスポイントであることを特徴とするユーザ端末。
【請求項３】
セルラ基地局と協調する特定機器であって、
セルラ周波数帯域内、かつ、特定の期間において、前記特定機器の存在を知らせるための発見用信号をブロードキャストする制御部を備え、
前記特定の期間は、前記セルラ基地局により指定され、
前記特定機器は、無線ＬＡＮアクセスポイントであることを特徴とする特定機器。
【発明の詳細な説明】
【技術分野】
【０００１】
本発明は、セルラ通信システムを無線ＬＡＮシステムと連携させるための通信制御方法に関する。
【背景技術】
【０００２】
近年、セルラ通信部及び無線ＬＡＮ通信部を含むユーザ端末（いわゆる、デュアル端末）の普及が進んでいる。また、セルラ通信システムのオペレータにより運用される無線ＬＡＮアクセスポイントが増加している。【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラ通信システムと無線ＬＡＮシステムとの連携を強化できる技術が検討される予定である（非特許文献１参照）。
【先行技術文献】
【非特許文献】
【０００４】
【非特許文献１】３ＧＰＰ寄書  ＲＰ−１２０１４５５
【発明の概要】
【０００５】
セルラ通信システムと無線ＬＡＮシステムとの連携を強化することで、セルラ通信システムの負荷を無線ＬＡＮシステムに分散できると考えられる。
【０００６】
そこで、本発明は、セルラ通信システムと無線ＬＡＮシステムとの連携を強化できる通信制御方法を提供することを目的とする。
【０００７】
第１の特徴に係る通信制御方法は、セルラＲＡＮから無線ＬＡＮへのオフロードを行うための方法である。前記通信制御方法は、前記セルラＲＡＮに含まれるセルラ基地局が、前記無線ＬＡＮに含まれる無線ＬＡＮアクセスポイントの識別子を含むリストを送信するステップと、セルラ通信部及び無線ＬＡＮ通信部を有するユーザ端末が、前記リストを受信するステップと、前記セルラ基地局のセルに在圏している前記ユーザ端末が、前記リストに基づいて、前記無線ＬＡＮアクセスポイントに近接したことを検知した後、前記オフロードに関する動作を行うステップと、を含む。
【０００８】
第２の特徴に係る通信制御方法は、セルラＲＡＮから無線ＬＡＮへのオフロードを行うための方法である。前記通信制御方法は、前記セルラＲＡＮに含まれるセルラ基地局が、前記オフロードのための情報を送信するステップと、セルラ通信部及び無線ＬＡＮ通信部を有し、前記セルラ基地局のセルに在圏しているユーザ端末が、前記情報を前記セルラ基地局から受信するステップと、前記ユーザ端末が、前記セルラ基地局から受信した前記情報に基づいて、前記オフロードに関する動作を行うステップと、を含む。
【０００９】
第３の特徴に係る通信制御方法は、セルラ基地局と協調する特定機器が、セルラ周波数帯域内、かつ、特定の期間において、前記特定機器の存在を知らせるための発見用信号をブロードキャストするステップと、前記セルラ基地局に接続するユーザ端末が、前記セルラ周波数帯域内、かつ、前記特定の期間において、前記発見用信号をスキャンするステップと、を含む。
【００１０】
第４の特徴に係る通信制御方法は、セルラ基地局に接続するユーザ端末が、ライセンスバンドに含まれるセルラ周波数帯域内で特定機器からブロードキャストされるセルラ参照信号を受信するステップと、前記セルラ参照信号に対する測定結果を示す測定情報を前記ユーザ端末から前記セルラ基地局に報告するステップと、前記セルラ基地局が、前記ユーザ端末から報告された前記測定情報に基づいて、前記特定機器をスキャンするための情報を前記ユーザ端末に送信するステップと、を含む。前記特定機器は、アンライセンスバンドで通信を行う機器である。
【００１１】
第５の特徴に係る通信制御方法は、アンライセンスバンドで通信を行う特定機器が、セルラ基地局に接続するユーザ端末が送信するセルラ上りリンク信号を検出するステップと、前記特定機器が、前記セルラ上りリンク信号の検出に基づいて、前記特定機器に前記ユーザ端末が近接したことを示す通知を前記セルラ基地局に送信するステップと、前記セルラ基地局が、前記特定機器からの前記通知に基づいて、前記特定機器をスキャンするための情報を前記ユーザ端末に送信するステップと、を含む。
【００１２】
第６の特徴に係る通信制御方法は、セルラ通信部及び無線ＬＡＮ通信部を有しており、セルラ基地局に接続するユーザ端末が、前記ユーザ端末の移動速度を導出する導出ステップと、前記移動速度が閾値を超える場合には、前記無線ＬＡＮ通信部がオン状態であっても、前記ユーザ端末が無線ＬＡＮアクセスポイントに対するスキャンを停止する停止ステップと、を含む。
【００１３】
第７の特徴に係る通信制御方法は、ユーザ端末が特定機器からセルラ基地局に接続先を切り替える場合に、前記特定機器から前記セルラ基地局への切り替えであることを示す通知情報を前記ユーザ端末から前記セルラ基地局に送信するステップと、前記セルラ基地局が、前記通知情報に基づいて、前記ユーザ端末宛ての送信データを前記セルラ基地局に転送するよう要求する要求情報を前記特定機器に送信するステップと、を含む。前記特定機器は、アンライセンスバンドで通信を行う機器である。
【００１４】
第８の特徴に係る通信制御方法は、ユーザ端末の接続先を、セルラ基地局のカバレッジ内に設けられた特定機器からセルラ基地局に切り替える場合に、前記特定機器が、前記セルラ基地局についての測定報告を前記ユーザ端末から受信することなく、前記ユーザ端末の接続先を前記セルラ基地局に切り替えると決定するステップと、前記セルラ基地局への切り替えを要求する要求情報を前記特定機器から前記セルラ基地局に送信するステップと、前記特定機器が前記要求情報に対する応答を前記セルラ基地局から受信した場合に、前記セルラ基地局への切り替えを指示する指示情報を前記特定機器から前記ユーザ端末に送信するステップと、を含む。前記特定機器は、アンライセンスバンドで通信を行う機器である。
【図面の簡単な説明】
【００１５】
【図１】第１実施形態乃至第９実施形態に係るシステム構成図である。
【図２】第１実施形態乃至第９実施形態に係るＵＥ（ユーザ端末）のブロック図である。
【図３】第１実施形態乃至第９実施形態に係るｅＮＢ（セルラ基地局）のブロック図である。
【図４】第１実施形態及び第２実施形態、第６実施形態乃至第９実施形態に係る実施形態に係るＡＰ（無線ＬＡＮアクセスポイント）のブロック図である。
【図５】ＬＴＥシステムにおける無線インターフェイスのプロトコルスタック図である。
【図６】ＬＴＥシステムで使用される無線フレームの構成図である。
【図７】第１実施形態乃至第９実施形態に係る動作環境を説明するための図である。
【図８】第１実施形態に係る動作パターン１のシーケンス図である。
【図９】第１実施形態に係る動作パターン２のシーケンス図である。
【図１０】第２実施形態に係る動作パターン１のシーケンス図である。
【図１１】第２実施形態に係る動作パターン２のシーケンス図である。
【図１２】第２実施形態に係る動作パターン３のシーケンス図である。
【図１３】第３実施形態乃至第５実施形態に係るＡＰ（無線ＬＡＮアクセスポイント）のブロック図である。
【図１４】第３実施形態に係る小セルｅＮＢのブロック図である。
【図１５】第３実施形態に係る動作を説明するための図である。
【図１６】第３実施形態に係る動作パターン１のシーケンス図である。
【図１７】第３実施形態に係る動作パターン２のシーケンス図である。
【図１８】第３実施形態に係る動作を説明するための図である。
【図１９】第３実施形態に係る動作を説明するための図である。
【図２０】第４実施形態に係るシーケンス図である。
【図２１】第５実施形態に係る動作パターン１のシーケンス図である。
【図２２】第５実施形態に係る動作パターン２のシーケンス図である。
【図２３】第６実施形態に係るシーケンス図である。
【図２４】第７実施形態に係る動作パターン１のシーケンス図である。
【図２５】第７実施形態に係る動作パターン２のシーケンス図である。
【図２６】第８実施形態に係る動作パターン１のシーケンス図である。
【図２７】第８実施形態に係る動作パターン２のシーケンス図である。
【図２８】第９実施形態に係るシーケンス図である。
【図２９】その他の実施形態に係る動作を説明するための図である。
【発明を実施するための形態】
【００１６】
［実施形態の概要］
第１実施形態に係る通信制御方法は、セルラＲＡＮから無線ＬＡＮへのオフロードを行うための方法である。前記通信制御方法は、前記セルラＲＡＮに含まれるセルラ基地局が、前記無線ＬＡＮに含まれる無線ＬＡＮアクセスポイントの識別子を含むリストを送信するステップと、セルラ通信部及び無線ＬＡＮ通信部を有するユーザ端末が、前記リストを受信するステップと、前記セルラ基地局のセルに在圏している前記ユーザ端末が、前記リストに基づいて、前記無線ＬＡＮアクセスポイントに近接したことを検知した後、前記オフロードに関する動作を行うステップと、を含む。ここで「近接したことを検知」とは、「近接したと認識する」という意味であり、実際には近接していない場合（誤検出の場合）もあり得る。以下においても同様である。
【００１７】
第１実施形態では、前記オフロードに関する動作を行うステップにおいて、前記無線ＬＡＮ通信部がオフ状態である前記ユーザ端末は、前記リストに基づいて前記無線ＬＡＮアクセスポイントに近接したことを検知した後、前記無線ＬＡＮ通信部をオン状態に切り替えて、前記無線ＬＡＮアクセスポイントをスキャンする。
【００１８】
第１実施形態では、前記動作は、前記無線ＬＡＮアクセスポイントをスキャンすることを含む。前記通信制御方法は、前記スキャンにより前記無線ＬＡＮアクセスポイントが発見された場合に、前記無線ＬＡＮアクセスポイントが発見されたことを示す通知を前記ユーザ端末から前記セルラ基地局に送信するステップをさらに含む。
【００１９】
第１実施形態では、前記通知は、発見された前記無線ＬＡＮアクセスポイントの識別子を含む。前記通信制御方法は、前記セルラ基地局が、前記通知を受信した場合で、かつ、前記通知に含まれる前記識別子に対応する前記無線ＬＡＮアクセスポイントがオフ状態である場合に、前記無線ＬＡＮアクセスポイントを起動する起動ステップをさらに含む。
【００２０】
第１実施形態では、前記送信するステップにおいて、前記セルラ基地局は、自セルラ基地局に関する負荷レベルに基づいて、前記リストを前記ユーザ端末に送信する。
【００２１】
第１実施形態では、前記通信制御方法は、前記ユーザ端末が、自ユーザ端末の状況に基づいて、前記リストを使用するか否かを判断するステップをさらに含む。
【００２２】
第１実施形態では、前記リストは、前記セルラ基地局のセル内に設けられた無線ＬＡＮアクセスポイントの識別子、又は前記セルを含むトラッキングエリア内に設けられた無線ＬＡＮアクセスポイントの識別子を含む。
【００２３】
第２実施形態及び第７実施形態に係る通信制御方法は、セルラＲＡＮから無線ＬＡＮへのオフロードを行うための方法である。前記通信制御方法は、前記セルラＲＡＮに含まれるセルラ基地局が、前記オフロードのための情報を送信するステップと、セルラ通信部及び無線ＬＡＮ通信部を有し、前記セルラ基地局のセルに在圏しているユーザ端末が、前記情報を前記セルラ基地局から受信するステップと、前記ユーザ端末が、前記セルラ基地局から受信した前記情報に基づいて、前記オフロードに関する動作を行うステップと、を含む。
【００２４】
第２実施形態及び第７実施形態では、前記動作を行うステップにおいて、前記ユーザ端末は、前記無線ＬＡＮ通信部がオフ状態である場合に、前記セルラ基地局から受信した前記情報に基づいて、前記無線ＬＡＮ通信部をオン状態に切り替えて、無線ＬＡＮアクセスポイントをスキャンする。
【００２５】
第２実施形態及び第７実施形態では、前記送信するステップにおいて、前記セルラ基地局は、自セルラ基地局の負荷レベルが閾値を超えた場合に、前記情報を１又は複数のユーザ端末に送信する。
【００２６】
第２実施形態及び第７実施形態では、前記通信制御方法は、前記スキャンにより前記無線ＬＡＮアクセスポイントが発見された場合に、前記無線ＬＡＮアクセスポイントが発見されたことを示す通知を前記ユーザ端末から前記セルラ基地局に送信するステップをさらに含む。
【００２７】
第２実施形態及び第７実施形態では、前記情報は、前記無線ＬＡＮ通信部をオン状態に切り替えるよう指示する情報である。
【００２８】
第２実施形態及び第７実施形態では、前記情報は、前記無線ＬＡＮアクセスポイントの位置を示す位置情報を含む。前記動作を行うステップにおいて、前記ユーザ端末は、前記ユーザ端末が前記無線ＬＡＮアクセスポイントに近接したことを前記位置情報に基づいて検知した場合に、前記動作を行う。
【００２９】
第２実施形態及び第７実施形態では、前記情報は、前記動作を行うべき条件を示す条件情報を含む。前記動作を行うステップにおいて、前記ユーザ端末は、前記条件が満たされたことを前記条件情報に基づいて検知した場合に、前記動作を行う。
【００３０】
第２実施形態及び第７実施形態では、前記情報は、前記動作に適用されるパラメータを含む。
【００３１】
第２実施形態及び第７実施形態では、前記通信制御方法は、前記セルラ基地局が、前記ユーザ端末の状況に基づいて、前記情報を前記ユーザ端末に送信するか否かを判断するステップをさらに含む。
【００３２】
第３実施形態に係る通信制御方法は、セルラ基地局と協調する特定機器が、セルラ周波数帯域内、かつ、特定の期間において、前記特定機器の存在を知らせるための発見用信号をブロードキャストするステップと、前記セルラ基地局に接続するユーザ端末が、前記セルラ周波数帯域内、かつ、前記特定の期間において、前記発見用信号をスキャンするステップと、を含む。
【００３３】
第３実施形態では、前記特定の期間は、前記セルラ基地局により指定される。
【００３４】
第３実施形態では、前記特定機器は、前記セルラ周波数帯域外で通信を行う機器である。
【００３５】
第３実施形態では、前記セルラ基地局は、前記セルラ周波数帯域内の第１の周波数で通信を行う基地局である。前記特定機器は、前記セルラ周波数帯域内の第２の周波数で通信を行う機器である。前記ブロードキャストするステップにおいて、前記特定機器は、前記セルラ周波数帯域内の前記第１の周波数、かつ、前記特定の期間で前記発見用信号をブロードキャストする。前記スキャンするステップにおいて、前記ユーザ端末は、前記セルラ周波数帯域内の前記第１の周波数、かつ、前記特定の期間で前記発見用信号をスキャンする。
【００３６】
第３実施形態では、前記発見用信号は、前記特定機器の識別子を含む。
【００３７】
第３実施形態では、前記通信制御方法は、前記ユーザ端末が前記スキャンにより前記発見用信号を検出した場合に、前記発見用信号を検出したことを示す発見通知を前記ユーザ端末から前記セルラ基地局に送信するステップをさらに含む。
【００３８】
第３実施形態では、前記通信制御方法は、前記ユーザ端末が前記スキャンにより前記発見用信号を検出した後、前記ユーザ端末が前記特定機器に接続した場合に、前記ユーザ端末が前記特定機器に接続したことを示す接続通知を前記特定機器から前記セルラ基地局に送信するステップをさらに含む。
【００３９】
第３実施形態では、前記特定機器は、無線ＬＡＮアクセスポイントである。
【００４０】
第３実施形態では、前記特定機器は、小セルを管理するセルラ基地局である。
【００４１】
第３実施形態では、前記特定機器は、端末間無線通信をサポートする他のユーザ端末である。
【００４２】
第３実施形態では、前記セルラ周波数帯域は、ライセンスバンドに含まれている。前記特定機器は、アンライセンスバンドで通信を行う他のセルラ基地局である。
【００４３】
第４実施形態に係る通信制御方法は、セルラ基地局に接続するユーザ端末が、ライセンスバンドに含まれるセルラ周波数帯域内で特定機器からブロードキャストされるセルラ参照信号を受信するステップと、前記セルラ参照信号に対する測定結果を示す測定情報を前記ユーザ端末から前記セルラ基地局に報告するステップと、前記セルラ基地局が、前記ユーザ端末から報告された前記測定情報に基づいて、前記特定機器をスキャンするための情報を前記ユーザ端末に送信するステップと、を含む。前記特定機器は、アンライセンスバンドで通信を行う機器である。
【００４４】
第４実施形態では、前記特定機器には、自特定機器を識別するセル識別子が割り当てられている。前記特定機器が送信する前記セルラ参照信号は、前記セル識別子を含む。
【００４５】
第５実施形態に係る通信制御方法は、アンライセンスバンドで通信を行う特定機器が、セルラ基地局に接続するユーザ端末が送信するセルラ上りリンク信号を検出するステップと、前記特定機器が、前記セルラ上りリンク信号の検出に基づいて、前記特定機器に前記ユーザ端末が近接したことを示す通知を前記セルラ基地局に送信するステップと、前記セルラ基地局が、前記特定機器からの前記通知に基づいて、前記特定機器をスキャンするための情報を前記ユーザ端末に送信するステップと、を含む。
【００４６】
第５実施形態では、前記通信制御方法は、前記特定機器が、自特定機器に前記ユーザ端末が近接するか否かを判断するステップをさらに含む。前記判断するステップは、前記ユーザ端末が送信するセルラ上りリンク信号に関する信号情報を前記セルラ基地局から取得するステップと、前記信号情報に基づいて、前記ユーザ端末と前記特定機器との間のパスロスを推定するステップと、前記パスロスが閾値未満である場合に、前記特定機器に前記ユーザ端末が近接すると判断するステップと、を含む。
【００４７】
第５実施形態では、前記通信制御方法は、前記特定機器が、前記特定機器と前記セルラ基地局との間の距離と、前記セルラ上りリンク信号の受信電力と、に基づいて、前記特定機器に前記ユーザ端末が近接するか否かを判断するステップをさらに含む。
【００４８】
第６実施形態に係る通信制御方法は、セルラ通信部及び無線ＬＡＮ通信部を有しており、セルラ基地局に接続するユーザ端末が、前記ユーザ端末の移動速度を導出する導出ステップと、前記移動速度が閾値を超える場合には、前記無線ＬＡＮ通信部がオン状態であっても、前記ユーザ端末が無線ＬＡＮアクセスポイントに対するスキャンを停止する停止ステップと、を含む。
【００４９】
第８実施形態に係る通信制御方法は、ユーザ端末が特定機器からセルラ基地局に接続先を切り替える場合に、前記特定機器から前記セルラ基地局への切り替えであることを示す通知情報を前記ユーザ端末から前記セルラ基地局に送信するステップと、前記セルラ基地局が、前記通知情報に基づいて、前記ユーザ端末宛ての送信データを前記セルラ基地局に転送するよう要求する要求情報を前記特定機器に送信するステップと、を含む。前記特定機器は、アンライセンスバンドで通信を行う機器である。
【００５０】
第８実施形態では、前記通知情報は、前記特定機器を識別するための識別子を含む。
【００５１】
第８実施形態では、前記通知情報は、前記ユーザ端末を識別するための識別子を含む。
【００５２】
第９実施形態に係る通信制御方法は、ユーザ端末の接続先を、セルラ基地局のカバレッジ内に設けられた特定機器からセルラ基地局に切り替える場合に、前記特定機器が、前記セルラ基地局についての測定報告を前記ユーザ端末から受信することなく、前記ユーザ端末の接続先を前記セルラ基地局に切り替えると決定するステップと、前記セルラ基地局への切り替えを要求する要求情報を前記特定機器から前記セルラ基地局に送信するステップと、前記特定機器が前記要求情報に対する応答を前記セルラ基地局から受信した場合に、前記セルラ基地局への切り替えを指示する指示情報を前記特定機器から前記ユーザ端末に送信するステップと、を含む。前記特定機器は、アンライセンスバンドで通信を行う機器である。
【００５３】
以下、図面を参照して、３ＧＰＰ規格に準拠して構成されるセルラ通信システムであるＬＴＥシステムを無線ＬＡＮ（ＷＬＡＮ）システムと連携させる場合の各実施形態を説明する。
【００５４】
［第１実施形態］
（第１実施形態に係るシステム構成）
図１は、第１実施形態に係るシステム構成図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は、無線アクセスネットワークに相当する。ＥＰＣ２０は、コアネットワークに相当する。
【００５５】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００５６】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００５７】
ｅＮＢ２００は、Ｘ２インターフェイスを介して相互に接続される。また、ｅＮＢ２００は、Ｓ１インターフェイスを介して、ＥＰＣ２０に含まれるＭＭＥ／Ｓ−ＧＷ５００と接続される。
【００５８】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００５９】
ＷＬＡＮシステムは、ＷＬＡＮ  ＡＰ（以下、「ＡＰ」と称する）３００を含む。ＷＬＡＮシステムは、例えばＩＥＥＥ  ８０２．１１諸規格に準拠して構成される。ＡＰ３００は、セルラ周波数帯とは異なる周波数帯（ＷＬＡＮ周波数帯）でＵＥ１００との通信を行う。ＡＰ３００は、ルータなどを介してＥＰＣ２０に接続される。第１実施形態では、ＡＰ３００は、セルラ通信システム（ＬＴＥシステム）のオペレータにより運用される。なお、セルラ周波数帯は、ライセンスバンド（免許が必要な周波数帯）に含まれる。これに対し、ＷＬＡＮ周波数帯は、アンライセンスバンド（免許が不要な周波数帯）に含まれる。
【００６０】
次に、ＵＥ１００、ｅＮＢ２００、及びＡＰ３００の構成を説明する。
【００６１】
図２は、ＵＥ１００のブロック図である。図２に示すように、ＵＥ１００は、アンテナ１０１及び１０２と、セルラ送受信機（セルラ通信部）１１１と、ＷＬＡＮ送受信機（ＷＬＡＮ通信部）１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００６２】
アンテナ１０１及びセルラ送受信機１１１は、セルラ無線信号の送受信に用いられる。セルラ送受信機１１１は、プロセッサ１６０が出力するベースバンド信号をセルラ無線信号に変換してアンテナ１０１から送信する。また、セルラ送受信機１１１は、アンテナ１０１が受信するセルラ無線信号をベースバンド信号に変換してプロセッサ１６０に出力する。
【００６３】
アンテナ１０２及びＷＬＡＮ送受信機１１２は、ＷＬＡＮ無線信号の送受信に用いられる。ＷＬＡＮ送受信機１１２は、プロセッサ１６０が出力するベースバンド信号をＷＬＡＮ無線信号に変換してアンテナ１０２から送信する。また、ＷＬＡＮ送受信機１１２は、アンテナ１０２が受信するＷＬＡＮ無線信号をベースバンド信号に変換してプロセッサ１６０に出力する。
【００６４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの入力を受け付けて、該入力の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００６５】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００６６】
図３は、ｅＮＢ２００のブロック図である。図３に示すように、ｅＮＢ２００は、アンテナ２０１と、セルラ送受信機２１０と、ネットワークインターフェイス２２０と、メモリ２３０と、プロセッサ２４０と、を有する。メモリ２３０及びプロセッサ２４０は、制御部を構成する。また、メモリ２３０をプロセッサ２４０と一体化し、このセット（すなわち、チップセット）をプロセッサ２４０’としてもよい。
【００６７】
アンテナ２０１及びセルラ送受信機２１０は、セルラ無線信号の送受信に用いられる。セルラ送受信機２１０は、プロセッサ２４０が出力するベースバンド信号をセルラ無線信号に変換してアンテナ２０１から送信する。また、セルラ送受信機２１０は、アンテナ２０１が受信するセルラ無線信号をベースバンド信号に変換してプロセッサ２４０に出力する。
【００６８】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。また、ネットワークインターフェイス２２０は、ＥＰＣ２０を介したＡＰ３００との通信に使用される。
【００６９】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００７０】
図４は、ＡＰ３００のブロック図である。図４に示すように、ＡＰ３００は、アンテナ３０１と、ＷＬＡＮ送受信機３１１と、ネットワークインターフェイス３２０と、メモリ３３０と、プロセッサ３４０と、を有する。また、メモリ３３０をプロセッサ３４０と一体化し、このセット（すなわち、チップセット）をプロセッサ３４０’としてもよい。
【００７１】
アンテナ３０１及びＷＬＡＮ送受信機３１１は、ＷＬＡＮ無線信号の送受信に用いられる。ＷＬＡＮ送受信機３１１は、プロセッサ３４０が出力するベースバンド信号をＷＬＡＮ無線信号に変換してアンテナ３０１から送信する。また、ＷＬＡＮ送受信機３１１は、アンテナ３０１が受信するＷＬＡＮ無線信号をベースバンド信号に変換してプロセッサ３４０に出力する。
【００７２】
ネットワークインターフェイス３２０は、ルータなどを介してＥＰＣ２０と接続される。また、ネットワークインターフェイス３２０は、ＥＰＣ２０を介したｅＮＢ２００との通信に使用される。
【００７３】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。
【００７４】
図５は、ＬＴＥシステムにおける無線インターフェイスのプロトコルスタック図である。図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００７５】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００７６】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを決定するスケジューラを含む。
【００７７】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００７８】
ＰＤＣＰレイヤは、ヘッダ圧縮・伸張、及び暗号化・復号化を行う。
【００７９】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００８０】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００８１】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００８２】
図６に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。リソースブロックは、周波数方向に複数個のサブキャリアを含む。
【００８３】
ＵＥ１００に割り当てられる無線リソースのうち、周波数リソースはリソースブロックにより特定でき、時間リソースはサブフレーム（又はスロット）により特定できる。
【００８４】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。また、下りリンクにおいて、各サブフレームには、セル固有参照信号などの参照信号が分散して配置される。
【００８５】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００８６】
（第１実施形態に係る動作）
次に、第１実施形態に係る動作を説明する。図７は、第１実施形態に係る動作環境を説明するための図である。
【００８７】
図７に示すように、ｅＮＢ２００のカバレッジ内にＡＰ３００（ＡＰ３００−１乃至ＡＰ３００−３）が設けられている。第１実施形態では、ｅＮＢ２００は、広範囲に渡るセル（大セル）を管理する。大セルは、ＬＴＥシステムにおける一般的なセルであり、マクロセルと称される。
【００８８】
さらに、マクロセルのカバレッジ内に、マクロセルよりもカバレッジの狭い小セルが設けられていてもよい。小セルは、ピコセル又はフェムトセルと称される。小セルは、セルラ周波数帯域内であって、マクロセルが属する周波数とは異なる周波数に属する。小セルは、ＨｅＮＢ４００（ピコｅＮＢ又はフェムトｅＮＢ）により管理されている。
【００８９】
ＵＥ１００−１乃至ＵＥ１００−３は、ｅＮＢ２００のセル（マクロセル）に接続しており、ｅＮＢ２００とのセルラ通信を行っている。ｅＮＢ２００が多数のＵＥ１００を収容する場合、ｅＮＢ２００の負荷レベルが高くなる。すなわち、ｅＮＢ２００が各ＵＥ１００に割り当て可能な無線リソース（リソースブロックなど）が少なくなる。
【００９０】
ＡＰ３００は、セルラ通信システム（本実施形態では、ＬＴＥシステム）のオペレータにより運用される。このようなＡＰ３００は、Ｐｌａｎｎｅｄ  ＡＰと称される。ＵＥ１００−４は、ＡＰ３００−３に接続しており、ＡＰ３００−３とのＷＬＡＮ通信を行っている。一方、ＡＰ３００−１及びＡＰ３００−２には、接続するＵＥ１００が存在しない。
【００９１】
次に、第１実施形態に係る動作の概要を説明する。第１実施形態は、ｅＮＢ２００の負荷をＡＰ３００に分散（オフロード）する実施形態である。
【００９２】
第１に、ＵＥ１００は、自身が接続可能なＡＰ３００（Ｐｌａｎｎｅｄ  ＡＰ）に関するリスト（以下、「ＡＰホワイトリスト」と称する）を記憶する。ＡＰホワイトリストは、ＵＥ１００が接続可能なＡＰ３００の識別子を含む。ＡＰホワイトリストは、そのＡＰ３００の周辺位置に関するＡＰ位置情報をさらに含んでもよい。或いは、ＡＰホワイトリストは、ｅＮＢ２００のセルの識別子（セル識別子）をさらに含んでもよい。なお、ＡＰ３００の識別子とは、例えばＳＳＩＤ（Ｓｅｒｖｉｃｅ  Ｓｅｔ  Ｉｄｅｎｔｉｆｉｅｒ）又はＥＳＳＩＤ（Ｅｘｔｅｎｄｅｄ  Ｓｅｒｖｉｃｅ  Ｓｅｔ  Ｉｄｅｎｔｉｆｉｅｒ）である。
【００９３】
ＡＰホワイトリストは、ＵＥ１００が自律的に更新する場合と、ｅＮＢ２００がＵＥ１００に設定する場合と、これを組み合わせた場合とがある。ＵＥ１００がＡＰホワイトリストを自律的に更新する場合、ＵＥ１００は、ＡＰ３００に接続した後、ＡＰ３００がＰｌａｎｎｅｄ  ＡＰである旨をＡＰ３００から通知された場合に、ＡＰホワイトリストを更新する。これに対し、ｅＮＢ２００がＵＥ１００にＡＰホワイトリストを設定する場合、ｅＮＢ２００のカバレッジ内に設けられた各ＡＰ３００に関するＡＰホワイトリストをＵＥ１００がｅＮＢ２００から受信して記憶する。この場合、ＡＰホワイトリストは、ｅＮＢ２００単位（或いはセル単位）で管理されてもよく、トラッキングエリア単位で管理されてもよい。
【００９４】
また、ｅＮＢ２００はＵＥ１００にＡＰホワイトリストを送信する前に、そのＵＥ１００にＡＰホワイトリストを送信するべきかどうかを判断してもよい。例えば単位時間あたりのハンドオーバ回数や位置情報などからＵＥ１００が高速で移動していると推定され、ｅＮＢ２００のカバレッジからはずれることが推測される様な場合には、ＵＥ１００にＡＰホワイトリストを渡さない。或いは、そのような判断をＵＥ１００側で行ってもよい。具体的には、ＡＰホワイトリストを記憶しているＵＥ１００は、例えば単位時間あたりのハンドオーバ回数や位置情報などから自身が高速で移動していると推定され、ｅＮＢ２００のカバレッジからはずれることが推測される様な場合には、当該ＡＰホワイトリストを使用しない。
【００９５】
さらに、ｅＮＢ２００はＵＥ１００にＡＰホワイトリストを送信する前に、そのＡＰホワイトリストに含まれるＡＰ３００の数を調整してもよい。例えば単位時間あたりのハンドオーバ回数や位置情報などからＵＥ１００の移動速度を推定し、ＵＥ１００の移動速度が低いほど、ＡＰホワイトリストに含めるＡＰ３００の地理的範囲を狭くして、ＡＰホワイトリストに含まれるＡＰ３００の数を少なくする。或いは、そのような調整をＵＥ１００側で行ってもよい。具体的には、ＡＰホワイトリストを記憶しているＵＥ１００は、例えば単位時間あたりのハンドオーバ回数や位置情報などからＵＥ１００の移動速度を推定し、ＵＥ１００の移動速度が低いほど、ＡＰホワイトリストに含まれているＡＰ３００のうち、対象とするＡＰ３００の地理的範囲を狭くして、対象とするＡＰ３００の数を少なくする。
【００９６】
ＵＥ１００は、自身が送受信するトラフィック量又はトラフィック種別、或いはＵＥ１００の無線通信環境などを考慮して、ＡＰホワイトリストを使用するか否かを判断してもよい。例えば、ＵＥ１００は、自身が送受信するトラフィック量が多い場合、又はＵＥ１００が送受信するトラフィックのＱｏＳが低い場合に、ＡＰホワイトリストを使用する。それ以外の場合には、ＡＰホワイトリストを使用しない。
【００９７】
なお、ｅＮＢ２００は、オフロードが不要である場合に、ＡＰホワイトリストにＡＰ情報を含めずにＵＥ１００に設定してもよい。
【００９８】
第２に、ＵＥ１００は、自身がｅＮＢ２００と接続している場合で、かつ、ＷＬＡＮ送受信機１１２がオフ状態である場合に、自身がＡＰ３００に近接したことをＡＰホワイトリストに基づいて検知する。ＵＥ１００は、例えばＧＮＳＳ受信機１３０により把握されるＵＥ位置情報又はネットワークから得られるＵＥ位置情報をＡＰ位置情報と比較することで、自身がＡＰ３００に近接したことを検知できる。ここで「近接したことを検知」とは、上述したように、「近接したと認識する」という意味であり、実際には近接していない場合（誤検出の場合）もあり得る。或いは、ＵＥ１００は、ＡＰホワイトリストにセル識別子が含まれる場合に、接続先のセルのセル識別子とＡＰホワイトリストに含まれるセル識別子とを比較することで、自身がＡＰ３００に近接したことを検知してもよい。
【００９９】
第３に、ＵＥ１００は、自身がＡＰ３００に近接したことを検知した後、ＷＬＡＮ送受信機１１２をオン状態に切り替えてＷＬＡＮスキャンを行う。具体的には、ＵＥ１００は、ＡＰ３００からのＷＬＡＮ信号（ビーコン信号）を受信できるか否かを確認する。ＵＥ１００は、ＡＰホワイトリストに基づいて、近接を検知したＡＰ３００の識別子（ＳＳＩＤ／ＥＳＳＩＤ）を含んだビーコン信号を対象としてＷＬＡＮスキャンを行ってもよい。
【０１００】
従って、ＡＰ３００に近接するＵＥ１００が該ＡＰ３００を発見できる。その結果、ＵＥ１００をＡＰ３００に接続させることができるため、ＡＰ３００を効率的に利用し、ｅＮＢ２００の負荷をＡＰ３００に分散（オフロード）できる。
【０１０１】
次に、第１実施形態に係る動作の具体例を説明する。図８は、第１実施形態に係る動作パターン１のシーケンス図である。図８の初期状態において、ＵＥ１００は、ｅＮＢ２００に接続しており、かつ、ＷＬＡＮ送受信機１１２をオフ状態にしている。また、ｅＮＢ２００及びＡＰ３００は、協調して動作するためのネゴシエーションを行っている（ステップＳ１１０１）。
【０１０２】
図８に示すように、ステップＳ１１０２において、ｅＮＢ２００は、ＡＰホワイトリストをＵＥ１００に送信する。例えば、ＡＰホワイトリストは、ＲＲＣメッセージを用いて送信される。ＵＥ１００は、ｅＮＢ２００から受信したＡＰホワイトリストを記憶する。ＵＥ１００が自律的にＡＰホワイトリストを更新する場合には、ステップＳ１１０２を不要としてもよい。
【０１０３】
ステップＳ１１０３において、ＵＥ１００は、ＡＰホワイトリストに基づいて、自身がＡＰ３００に近接したか否かを判断する。ここでは、ＵＥ１００が、ＡＰ３００に近接したことを検知したと仮定して、説明を進める。
【０１０４】
ステップＳ１１０４において、ＵＥ１００は、ＷＬＡＮ送受信機１１２をオン状態に切り替えてＷＬＡＮスキャンを開始する。
【０１０５】
ステップＳ１１０５において、ＵＥ１００は、ＡＰ３００からのビーコン信号を受信する。
【０１０６】
ステップＳ１１０６において、ＵＥ１００は、ＡＰ３００から受信したビーコン信号に基づいて、ＡＰ３００を発見する。また、ＵＥ１００は、ＡＰ３００から受信したビーコン信号に含まれる識別子（ＳＳＩＤ／ＥＳＳＩＤ）を抽出する。
【０１０７】
ステップＳ１１０７において、ＵＥ１００は、ＡＰ３００が発見されたことを示す発見通知（ＡＰ発見通知）をｅＮＢ２００に送信する。ＡＰ発見通知は、発見されたＡＰ３００の識別子（ＳＳＩＤ／ＥＳＳＩＤ）を含む。
【０１０８】
ステップＳ１１０８において、ｅＮＢ２００は、ＵＥ１００から受信したＡＰ発見通知に基づいて、ＵＥ１００をＡＰ３００に接続させるか否か（すなわち、オフロードを行うか否か）を判断する。ｅＮＢ２００は、自身の負荷レベル、ＵＥ１００が送受信するトラフィック量又はトラフィック種別などを考慮して、かかる判断を行ってもよい。例えば、ｅＮＢ２００は、自身の負荷レベルが高い場合に、ＵＥ１００をＡＰ３００に接続させると判断する。また、ｅＮＢ２００は、ＵＥ１００が送受信するトラフィック量が多い場合、又はＵＥ１００が送受信するトラフィックのＱｏＳが低い場合に、ＵＥ１００をＡＰ３００に接続させると判断する。ここでは、ｅＮＢ２００が、ＵＥ１００をＡＰ３００に接続させると判断したと仮定して、説明を進める。
【０１０９】
ステップＳ１１０９において、ｅＮＢ２００は、ＡＰ３００へのＵＥ１００の接続を要求する要求情報をＡＰ３００に送信する。
【０１１０】
ステップＳ１１１０において、ＡＰ３００は、ｅＮＢ２００からの要求情報に対する応答（Ａｃｋ）をｅＮＢ２００に送信する。
【０１１１】
ステップＳ１１１１において、ｅＮＢ２００は、ＡＰ３００からの応答（Ａｃｋ）を受信したことに応じて、ＡＰ３００への接続を指示する接続指示をＵＥ１００に送信する。接続指示は、ＵＥ１００がＡＰ３００と送受信すべきトラフィック種別を指定する情報を含んでもよい。
【０１１２】
ＵＥ１００は、ｅＮＢ２００から接続指示を受信した場合に、ＡＰ３００と接続し、ＡＰ３００とのＷＬＡＮ通信を開始する。接続指示がトラフィック種別を指定する情報を含んでいる場合、ＵＥ１００は、指定されたトラフィック種別をＷＬＡＮ通信により送受信する。
【０１１３】
ＵＥ１００は、ＡＰ３００との接続が完了した際に、その旨をｅＮＢ２００に通知してもよい。或いは、ＡＰ３００は、ＵＥ１００が接続した旨をｅＮＢ２００に通知してもよい。
【０１１４】
これに対し、ＵＥ１００がｅＮＢ２００にＡＰ発見通知を送信してから所定のタイマ時間が経過するまでの間に、ｅＮＢ２００からの接続指示を受信しない場合、ＵＥ１００は、タイムアウトと判断して、ＷＬＡＮ送受信機１１２をオフ状態に切り替えもよい。或いは、ＡＰ３００へ接続しないよう指示する接続停止指示をｅＮＢ２００からＵＥ１００に送信し、ＵＥ１００が接続停止指示を受信した場合にＷＬＡＮ送受信機１１２をオフ状態に切り替えもよい。
【０１１５】
図９は、第１実施形態に係る動作パターン２のシーケンス図である。ここでは、動作パターン１との相違点を主として説明する。
【０１１６】
図９に示すように、ステップＳ１２０１乃至Ｓ１２０４は、動作パターン１と同様である。ただし、動作パターン２では、ステップＳ１２０１において、ｅＮＢ２００は、ＡＰ３００がオフ状態（スリープ状態）であるか否かを把握してもよい。
【０１１７】
ＵＥ１００がＡＰ３００への近接を検知し（ステップＳ１２０３）、ＷＬＡＮ送受信機１１２をオン状態に切り替えた（ステップＳ１２０４）後、ステップＳ１２０５において、ＵＥ１００は、自身がＡＰ３００に近接したことを示す近接通知をｅＮＢ２００に送信する。近接通知は、ＵＥ１００が近接を検知したＡＰ３００の識別子（ＳＳＩＤ／ＥＳＳＩＤ）を含む。なお、ステップＳ１２０４は、ステップＳ１２０５の後又ステップＳ１２０６の後に行われてもよい。近接通知に代えて、ＡＰ発見通知（測定報告）を使用してもよい。
【０１１８】
ステップＳ１２０５ａにおいて、ｅＮＢ２００は、ＵＥ１００からの近接通知に含まれる識別子（ＳＳＩＤ／ＥＳＳＩＤ）に対応するＡＰ３００がオフ状態である場合、該ＡＰ３００を起動する。ｅＮＢ２００は、該ＡＰ３００がオン状態である場合に、ビーコン信号の送信周期を一定期間において短く設定するよう要求する設定要求をＡＰ３００に送信してもよい。
【０１１９】
ステップＳ１２０６において、ｅＮＢ２００は、ＷＬＡＮスキャンを指示するスキャン指示をＵＥ１００に送信する。スキャン指示は、ＷＬＡＮスキャンを行うべきタイミング及び周波数などを指定する情報を含む。ＷＬＡＮスキャンを行うべきタイミングは、ＡＰ３００がビーコン信号をブロードキャストするタイミングとすることが好ましい。かかるブロードキャストタイミングは、ｅＮＢ２００のタイミングを基準としたオフセットで表現してもよい。ＵＥ１００は、ｅＮＢ２００から受信したスキャン指示により設定されるタイミング及び周波数などに従ってＷＬＡＮスキャンを行う。
【０１２０】
なお、ｅＮＢ２００は、ＡＰ３００がビーコン信号をブロードキャストするタイミングを考慮し、セルラ通信の測定周期をＵＥ１００へ再設定しても良い。かかる設定は、ＷＬＡＮスキャンのタイミングにおいてセルラ通信の測定を行なわないタイミングとするよう設定することが好ましい。
【０１２１】
ステップＳ１２０７において、ＵＥ１００は、ＡＰ３００からのビーコン信号を受信する。
【０１２２】
ステップＳ１２０８において、ＵＥ１００は、ＡＰ３００から受信したビーコン信号に基づいて、ＡＰ３００を発見する。また、ＵＥ１００は、ＡＰ３００から受信したビーコン信号に含まれる識別子（ＳＳＩＤ／ＥＳＳＩＤ）を抽出する。
【０１２３】
ステップＳ１２０９において、ＵＥ１００は、ＡＰ３００が発見されたことを示す発見通知（ＡＰ発見通知）をｅＮＢ２００に送信する。ＡＰ発見通知は、発見されたＡＰ３００の識別子（ＳＳＩＤ／ＥＳＳＩＤ）を含む。ＡＰ発見通知は、ＡＰ３００からのビーコン信号についての測定情報（受信電力など）を含んでもよい。
【０１２４】
以降の動作については、動作パターン１と同様である。ただし、ｅＮＢ２００は、ビーコン信号の送信周期を一定期間において短く設定するようＡＰ３００に要求している場合で、かつ、ＡＰ３００に接続した旨をＵＥ１００から通知された時点で該一定期間が満了していない場合には、ビーコン信号の送信周期を元に戻すようＡＰ３００に要求してもよい。
【０１２５】
［第２実施形態］
第２実施形態について、上述した第１実施形態との相違点を主として説明する。第２実施形態に係るシステム構成及び動作環境は、第１実施形態と同様である。ただし、第２実施形態はｅＮＢ２００主導の動作である点で第１実施形態と異なる。
【０１２６】
まず、第２実施形態に係る動作の概要を説明する。第２実施形態では、ｅＮＢ２００は、ＡＰ３００をスキャンするためのトリガ情報を、ｅＮＢ２００に接続している１又は複数のＵＥ１００に送信する。ｅＮＢ２００は、ｅＮＢ２００の負荷レベルが高い（閾値を超えた）場合に、トリガ情報を送信してもよい。
【０１２７】
第２実施形態に係る動作パターン１では、トリガ情報は、ＷＬＡＮ送受信機１１２をオン状態に切り替えるよう指示する情報である。ｅＮＢ２００は、選択したＵＥ１００に対してトリガ情報を送信する。ＵＥ１００は、トリガ情報を受信した場合に、ＷＬＡＮ送受信機１１２をオン状態に切り替えてＷＬＡＮスキャンを行う。
【０１２８】
第２実施形態に係る動作パターン２では、トリガ情報は、ＡＰ３００の位置を示すＡＰ位置情報を含む。ｅＮＢ２００は、選択したＵＥ１００に対してトリガ情報を送信する。ＵＥ１００は、トリガ情報を受信し、かつ、ＡＰ３００に近接したことをＡＰ位置情報に基づいて検知した場合に、ＷＬＡＮ送受信機１１２をオン状態に切り替えてＷＬＡＮスキャンを行う。
【０１２９】
第２実施形態に係る動作パターン３では、トリガ情報は、スキャンを行うべき条件を示す条件情報を含む。ｅＮＢ２００は、トリガ情報をブロードキャストで送信する。ＵＥ１００は、トリガ情報を受信し、かつ、ＷＬＡＮスキャンを行うべき条件が満たされたことを条件情報に基づいて検知した場合に、ＷＬＡＮ送受信機１１２をオン状態に切り替えてＷＬＡＮスキャンを行う。
【０１３０】
第２実施形態に係る他の動作パターンでは、トリガ情報は、オフロード嗜好インジケータ(Offload preference indicator)であってもよい。或いは、トリガ情報に加えて、又はトリガ情報に代えて、ネットワーク選択のパラメータを使用してもよい。他の動作パターンについては、第７実施形態及び付記等において説明する。
【０１３１】
次に、第２実施形態に係る動作の具体例を説明する。図１０は、第２実施形態に係る動作パターン１のシーケンス図である。図１０の初期状態において、ＵＥ１００（ＵＥ１００−１乃至ＵＥ１００−Ｎ）は、ｅＮＢ２００に接続しており、かつ、ＷＬＡＮ送受信機１１２をオフ状態にしている。また、ｅＮＢ２００及びＡＰ３００は、協調して動作するためのネゴシエーションを行っている（ステップＳ２１０１）。
【０１３２】
図１０に示すように、ステップＳ２１０２において、ｅＮＢ２００は、ＡＰ３００へのＵＥ１００の接続を要求する要求情報をＡＰ３００に送信する。
【０１３３】
ステップＳ２１０３において、ＡＰ３００は、ｅＮＢ２００からの要求情報に対する応答（Ａｃｋ）をｅＮＢ２００に送信する。ｅＮＢ２００は、応答（Ａｃｋ）が得られたＡＰ３００の識別子（ＳＳＩＤ／ＥＳＳＩＤ）を記憶する。
【０１３４】
ステップＳ２１０４において、ｅＮＢ２００は、トリガ情報の送信先とすべきＵＥ１００を選択する。ｅＮＢ２００は、ＵＥ１００が送受信するトラフィック量又はトラフィック種別、或いはＵＥ１００の無線通信環境などを考慮して、かかる判断を行ってもよい。例えば、ｅＮＢ２００は、ＵＥ１００が送受信するトラフィック量が多い場合、又はＵＥ１００が送受信するトラフィックのＱｏＳが低い場合に、該ＵＥ１００をトリガ情報の送信先として選択する。或いは、ｅＮＢ２００は、ＵＥ１００とｅＮＢ２００との間の距離をパスロス又はタイミングアドバンスなどに基づいて推定し、遠方にいるＵＥ１００をトリガ情報の送信先として選択してもよい。或いは、ｅＮＢ２００は、自身とＵＥ１００との間の無線品質の情報に基づいてＵＥ１００がセルエッジにいるか否かを判断し、セルエッジにいると判断したＵＥ１００をトリガ情報の送信先として選択してもよい。
【０１３５】
なお、ｅＮＢ２００は、ステップＳ２１０４に先立ち、ＷＬＡＮのサポート有無をＵＥ１００毎に問い合わせてもよい。或いは、ｅＮＢ２００は、ＵＥ１００のＣａｐａｂｉｌｉｔｙ情報として事前にＵＥ１００のＷＬＡＮのサポート有無を把握していてもよい。この場合、ＵＥ１００からｅＮＢ２００に通知されるＣａｐａｂｉｌｉｔｙ情報は、ＵＥ１００のＷＬＡＮのサポート有無の情報を含む。ｅＮＢ２００は、ＷＬＡＮをサポートしないＵＥ１００を選択対象から除外する。
【０１３６】
ステップＳ２１０５において、ｅＮＢ２００は、選択したＵＥ１００に対して、ＷＬＡＮ送受信機１１２をオン状態に切り替えるよう指示する情報（ＷＬＡＮオン指示）をトリガ情報として送信する。
【０１３７】
ステップＳ２１０６において、トリガ情報（ＷＬＡＮオン指示）を受信したＵＥ１００は、ＷＬＡＮ送受信機１１２をオン状態に切り替えてスキャンを行う。なお、ＷＬＡＮをサポートしないＵＥ１００がトリガ情報を受信した場合には、トリガ情報を無視してもよく、ｅＮＢ２００にその旨を通知してもよい。
【０１３８】
ステップＳ２１０７において、ＵＥ１００は、ＡＰ３００から受信したビーコン信号に基づいて、ＡＰ３００を発見する。また、ＵＥ１００は、ＡＰ３００から受信したビーコン信号に含まれる識別子（ＳＳＩＤ／ＥＳＳＩＤ）を抽出する。
【０１３９】
ステップＳ２１０８において、ＵＥ１００は、ＡＰ３００が発見されたことを示すＡＰ発見通知をｅＮＢ２００に送信する。ＡＰ発見通知は、発見されたＡＰ３００の識別子（ＳＳＩＤ／ＥＳＳＩＤ）を含む。
【０１４０】
ステップＳ２１０９において、ｅＮＢ２００は、ＵＥ１００から受信したＡＰ発見通知に基づいて、ＵＥ１００をＡＰ３００に接続させるか否か（すなわち、オフロードを行うか否か）を判断する。判断方法については、第１実施形態と同様である。ただし、第２実施形態では、ｅＮＢ２００は、応答（Ａｃｋ）が得られていないＡＰ３００を発見したＵＥ１００については、ＡＰ３００に接続させないと判断する。
【０１４１】
ステップＳ２１１０において、ｅＮＢ２００は、ＡＰ３００に接続させると判断したＵＥ１００に対して、ＡＰ３００への接続を指示する接続指示を送信する。接続指示は、ＵＥ１００がＡＰ３００と送受信すべきトラフィック種別を指定する情報を含んでもよい。
【０１４２】
ＵＥ１００は、ｅＮＢ２００から接続指示を受信した場合に、ＡＰ３００と接続し、ＡＰ３００とのＷＬＡＮ通信を開始する。さらに、接続指示がトラフィック種別を指定する情報を含んでいれば、指定されたトラフィック種別をＷＬＡＮ通信により送受信する。
【０１４３】
ステップＳ２１１１において、ｅＮＢ２００は、ＡＰ３００に分散（オフロード）した負荷レベルが閾値を超えるか否か（すなわち、ｅＮＢ２００の負荷レベルが目標値まで低減したか否か）を判断する。オフロードした負荷レベルが閾値未満である場合には、ステップＳ２１０４の処理に戻る。
【０１４４】
図１１は、第２実施形態に係る動作パターン２のシーケンス図である。ここでは、動作パターン１との相違点を主として説明する。
【０１４５】
図１１に示すように、ステップＳ２２０１乃至Ｓ２２０４は、動作パターン１と同様である。
【０１４６】
ステップＳ２２０５において、ｅＮＢ２００は、選択したＵＥ１００に対して、ＷＬＡＮ送受信機１１２をオン状態に切り替えるよう指示する情報（ＷＬＡＮオン指示）をトリガ情報として送信する。トリガ情報は、ＡＰ位置情報を含む。
【０１４７】
ステップＳ２２０６及びＳ２２０７において、トリガ情報（ＷＬＡＮオン指示）を受信したＵＥ１００は、例えば、ＷＬＡＮオン指示に含まれるＡＰ位置情報と、ＵＥ位置情報と、に基づいて、自身がＡＰ３００に近接するか否かを判断する。かかる判断方法については、第１実施形態と同様である。
【０１４８】
ＡＰ３００に近接すると判断したＵＥ１００は、ステップＳ２２０８において、ＷＬＡＮ送受信機１１２をオン状態に切り替えてＷＬＡＮスキャンを行う。以降の動作（ステップＳ２２０９乃至Ｓ２２１３）については、動作パターン１と同様である。
【０１４９】
図１２は、第２実施形態に係る動作パターン３のシーケンス図である。ここでは、動作パターン１との相違点を主として説明する。
【０１５０】
図１２に示すように、ステップＳ２３０１乃至Ｓ２３０３は、動作パターン１と同様である。
【０１５１】
ステップＳ２３０４において、ｅＮＢ２００は、ＷＬＡＮスキャンを行うべき条件（スキャン実行条件）を決定する。スキャン実行条件は、例えばＷＬＡＮをサポートしているという条件である。スキャン実行条件は、オペレータポリシーにより定められてもよい。
【０１５２】
ステップＳ２３０５において、ｅＮＢ２００は、自身に接続する各ＵＥ１００に対して、スキャン実行条件を含むトリガ情報をブロードキャストで送信する。すなわち、かかるトリガ情報は、条件付きのＷＬＡＮオン指示とみなすことができる。
【０１５３】
トリガ情報を受信したＵＥ１００は、ステップＳ２３０６において、スキャン実行条件を満たすか否かを判断する。スキャン実行条件を満たすと判断したＵＥ１００は、ステップＳ２３０７において、ＷＬＡＮ送受信機１１２をオン状態に切り替えてＷＬＡＮスキャンを行う。以降の動作については、動作パターン１と同様である。
【０１５４】
なお、第２実施形態では、ＵＥ１００は、ｅＮＢ２００から受信した情報を使用するべきかどうかを判断してもよい。例えば単位時間あたりのハンドオーバ回数や位置情報などからＵＥ１００が高速で移動していると推定され、ｅＮＢ２００のカバレッジからはずれることが推測される様な場合には、ｅＮＢ２００から受信した情報を使用しない。
【０１５５】
或いは、ＵＥ１００は、自身が送受信するトラフィック量又はトラフィック種別、或いはＵＥ１００の無線通信環境などを考慮して、ｅＮＢ２００から受信した情報を使用するか否かを判断してもよい。例えば、ＵＥ１００は、自身が送受信するトラフィック量が多い場合、又はＵＥ１００が送受信するトラフィックのＱｏＳが低い場合に、ｅＮＢ２００から受信した情報を使用する。それ以外の場合には、ｅＮＢ２００から受信した情報を使用しない。
【０１５６】
［第３実施形態］
第３実施形態について、上述した第１実施形態及び第２実施形態との相違点を主として説明する。
【０１５７】
第３実施形態に係るＡＰ３００は、セルラ周波数帯域内で発見用信号（ビーコン信号）を送信可能に構成される。図１３は、第３実施形態に係るＡＰ３００のブロック図である。図１３に示すように、ＡＰ３００は、ＷＬＡＮ送受信機３１１に加えて、セルラ送受信機３１２を有する。その他の構成は、第１実施形態と同様である。
【０１５８】
また、第３実施形態では、ＡＰ３００へのオフロードだけでなく、小セルへのオフロードも可能とする。第３実施形態では、小セルを管理するＨｅＮＢ４００（図７参照）は、マクロセルが属する周波数（第１の周波数）で発見用信号を送信可能に構成される。ＨｅＮＢ４００（小セル）が送信する発見用信号は、セル固有参照信号（ＣＲＳ）の一種であってもよく、通常のＣＲＳよりも高密度、長周期で送信される信号であってもよい。図１４は、第３実施形態に係るＨｅＮＢ４００のブロック図である。図１４に示すように、ＨｅＮＢ４００は、小セル帯域（第２の周波数）用のセルラ送受信機４１１に加えて、マクロセル帯域（第１の周波数）用のセルラ送受信機４１２を有する。その他の構成は、ｅＮＢ２００と同様である。
【０１５９】
以下においては、ＡＰ３００及びＨｅＮＢ４００を適宜「特定機器」と称する。第３実施形態では、特定機器は、図１５に示すように、セルラ周波数帯域内、かつ、特定の期間において、該特定機器の存在を知らせるための発見用信号をブロードキャストする。ｅＮＢ２００に接続するＵＥ１００は、セルラ周波数帯域内、かつ、特定の期間において、セルラ送受信機１１１により発見用信号をスキャンする。第３実施形態では、特定の期間は、サブフレーム単位で構成されるが、他の時間単位（スロット、シンボルなど）で構成されていてもよい。
【０１６０】
すなわち、ＡＰ３００は、セルラ周波数帯域とは異なるＷＬＡＮ周波数帯域内でＷＬＡＮ通信を行うものの、セルラ周波数帯域内で発見用信号（ビーコン信号）をブロードキャストする。また、ＨｅＮＢ４００は、小セル帯域内でセルラ通信を行うものの、マクロセル帯域内で発見用信号をブロードキャストする。
【０１６１】
これにより、ｅＮＢ２００（マクロセル）に接続するＵＥ１００は、ｅＮＢ２００に接続しつつ、特定機器（ＡＰ３００、ＨｅＮＢ４００）からの発見用信号を受信できるため、ｅＮＢ２００と接続中に特定機器を容易に発見できる。その結果、ＵＥ１００を特定機器に接続させることができる。なお、特定機器は、自身の負荷レベルが高い場合には、発見用信号のブロードキャストを停止してもよい。
【０１６２】
特定のサブフレームの情報（サブフレーム番号など）については、ＵＥ１００が予め記憶していてもよく、ｅＮＢ２００がＵＥ１００に通知してもよい。特定のサブフレームをｅＮＢ２００がＵＥ１００に通知する場合、ｅＮＢ２００は、特定のサブフレームをＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）用のサブフレームとしてＵＥ１００に認識させてもよい。
【０１６３】
ｅＮＢ２００及び特定機器は、同期がとられていることが好ましいが、非同期である場合には特定機器はｅＮＢ２００との同期をとる必要がある。特定機器は、マクロセル周波数帯で通信を行う機能を有するため、ＵＥ１００としてｅＮＢ２００にアクセスすることで、ｅＮＢ２００の下りリンクサブフレームタイミングを検出できる。この場合、特定機器は、ｅＮＢ２００から割り当てられるタイミングアドバンスに基づいてｅＮＢ２００の下りリンクサブフレームタイミングを検出してもよい。
【０１６４】
また、ｅＮＢ２００は、ＵＥ１００が発見用信号を受信し易くするために、特定のサブフレームにおいて自身の送信、及び／又は、自身に接続するＵＥ１００の送信を停止させることが好ましい。
【０１６５】
次に、第３実施形態に係る動作について、特定機器がＡＰ３００である場合の動作具体例を説明する。図１６は、第３実施形態に係る動作パターン１のシーケンス図である。図１６の初期状態において、ＵＥ１００は、ｅＮＢ２００に接続しており、かつ、ＷＬＡＮ送受信機１１２をオフ状態にしている。また、ｅＮＢ２００及びＡＰ３００は、協調して動作するためのネゴシエーションを行っている（ステップＳ３１０１）。
【０１６６】
図１６に示すように、ステップＳ３１０２において、ＡＰ３００は、セルラ周波数帯域内、かつ、特定のサブフレームにおいて、発見用信号をブロードキャストする。発見用信号は、ＡＰ３００の識別子（ＳＳＩＤ／ＥＳＳＩＤ）を含む。ｅＮＢ２００に接続するＵＥ１００は、セルラ周波数帯域内、かつ、特定のサブフレームにおいて、発見用信号をスキャンする。
【０１６７】
ステップＳ３１０３において、ＵＥ１００は、スキャンによりＡＰ３００からの発見用信号を検出（すなわち、ＡＰ３００を発見）する。また、ＵＥ１００は、検出した発見用信号に含まれる識別子（ＳＳＩＤ／ＥＳＳＩＤ）を抽出する。
【０１６８】
ステップＳ３１０４において、ＵＥ１００は、ＡＰ３００が発見されたことを示すＡＰ発見通知をｅＮＢ２００に送信する。ＡＰ発見通知は、発見されたＡＰ３００の識別子（ＳＳＩＤ／ＥＳＳＩＤ）を含む。
【０１６９】
ステップＳ３１０５において、ｅＮＢ２００は、ＵＥ１００から受信したＡＰ発見通知に基づいて、ＵＥ１００をＡＰ３００に接続させるか否か（すなわち、オフロードを行うか否か）を判断する。かかる判断方法については、第１実施形態と同様である。ここでは、ｅＮＢ２００が、ＵＥ１００をＡＰ３００に接続させると判断したと仮定して、説明を進める。
【０１７０】
ステップＳ３１０６において、ｅＮＢ２００は、ＡＰ３００への接続を指示する接続指示をＵＥ１００に送信する。接続指示は、ＵＥ１００がＡＰ３００と送受信すべきトラフィック種別を指定する情報を含んでもよい。なお、この時点ではＵＥ１００のＷＬＡＮ送受信機１１２がオフ状態であるため、接続指示は、ＷＬＡＮスキャン指示とみなすこともできる。
【０１７１】
ステップＳ３１０７において、ＵＥ１００は、ｅＮＢ２００から接続指示を受信したことに応じて、ＷＬＡＮ送受信機１１２をオン状態に切り替えて、ＷＬＡＮ周波数帯域でのＷＬＡＮスキャンを開始する。
【０１７２】
ステップＳ３１０８において、ＷＬＡＮ周波数帯域でのスキャンによりＡＰ３００が発見されない場合、ＵＥ１００は、ＡＰ３００のＷＬＡＮ送受信機３１１がオフ状態（スリープ状態）であると判断し、ＷＬＡＮオン要求をｅＮＢ２００に送信する（ステップＳ３１０９）。そして、ステップＳ３１１０において、ｅＮＢ２００は、ＵＥ１００からのＷＬＡＮオン要求に応じて、ＡＰ３００へ起動指示を送信する。その結果、ＡＰ３００のＷＬＡＮ送受信機３１１がオン状態に切り替わり、ＷＬＡＮ送受信機３１１からビーコン信号の送信が開始される（ステップＳ３１１１）。また、ステップＳ３１１３において、ＡＰ３００は、起動した旨の通知をｅＮＢ２００に送信する。
【０１７３】
ステップＳ３１１２において、ＵＥ１００は、ＷＬＡＮ周波数帯域でのスキャンによりＡＰ３００からのビーコン信号を検出（すなわち、ＡＰ３００を発見）する。
【０１７４】
ステップＳ３１１４において、ＵＥ１００は、ＡＰ３００と接続し、ＡＰ３００とのＷＬＡＮ通信を開始する。接続指示がトラフィック種別を指定する情報を含んでいれば、指定されたトラフィック種別をＷＬＡＮ通信により送受信する。
【０１７５】
ＵＥ１００は、ＡＰ３００との接続が完了した際に、その旨をｅＮＢ２００に通知してもよい。或いは、ＡＰ３００は、ＵＥ１００が接続した旨をｅＮＢ２００に通知してもよい。
【０１７６】
図１７は、第３実施形態に係る動作パターン２のシーケンス図である。ここでは、動作パターン１との相違点を主として説明する。
【０１７７】
上述した動作パターン１では、ＵＥ１００をＡＰ３００に接続させるか否かの判断を、ＵＥ１００がＷＬＡＮ周波数帯域でＡＰ３００を発見する前に行っていた。これに対し、動作パターン２では、図１７に示すように、かかる判断（ステップＳ３２１２）を、ＵＥ１００がＷＬＡＮ周波数帯域でＡＰ３００を発見（ステップＳ３２０９）した後に行う。
【０１７８】
具体的には、ステップＳ３２１１において、ＵＥ１００は、ＷＬＡＮ周波数帯域でＡＰ３００が発見されたことを示すＡＰ発見通知をｅＮＢ２００に送信する。ＡＰ発見通知は、発見されたＡＰ３００の識別子（ＳＳＩＤ／ＥＳＳＩＤ）を含む。
【０１７９】
ステップＳ３２１２において、ｅＮＢ２００は、ＵＥ１００から受信したＡＰ発見通知に基づいて、ＵＥ１００をＡＰ３００に接続させるか否か（すなわち、オフロードを行うか否か）を判断する。ここでは、ｅＮＢ２００が、ＵＥ１００をＡＰ３００に接続させると判断したと仮定して、説明を進める。
【０１８０】
ステップＳ３２１３において、ｅＮＢ２００は、ＡＰ３００への接続を指示する接続指示をＵＥ１００に送信する。接続指示は、ＵＥ１００がＡＰ３００と送受信すべきトラフィック種別を指定する情報を含んでもよい。
【０１８１】
ステップＳ３２１４において、ＵＥ１００は、ｅＮＢ２００からの接続指示に応じて、ＡＰ３００と接続し、ＡＰ３００とのＷＬＡＮ通信を開始する。さらに、接続指示がトラフィック種別を指定する情報を含んでいれば、指定されたトラフィック種別をＷＬＡＮ通信により送受信する。
【０１８２】
次に、第３実施形態に係る動作について、特定機器がＨｅＮＢ４００（小セル）である場合の動作具体例を説明する。特定機器がＨｅＮＢ４００である場合、動作パターン１と同様の手順を適用してもよく、動作パターン２と同様の手順を適用してもよい。
【０１８３】
ただし、ｅＮＢ２００のカバレッジ内に複数のＨｅＮＢ４００が設けられる場合には、次のようにして発見用信号の送信タイミングを設定することが好ましい。図１８は、複数のＨｅＮＢ４００が発見用信号を同一サブフレームで一斉送信する様子を示す。これに対し、図１９は、複数のＨｅＮＢ４００が特定のグループ単位でグループ化されており、グループ毎に異なるサブフレームで発見用信号を送信する様子を示す。
【０１８４】
ｅＮＢ２００のカバレッジ内に複数のＨｅＮＢ４００が設けられる場合、各ＨｅＮＢ４００は、ｅＮＢ２００の周波数帯域（マクロセル周波数帯）で発見用信号を送信する。しかしながら、ＨｅＮＢ４００が実際に通信に使用する周波数帯域は同一ではなく、ＵＥ１００も全ての周波数帯域をサポートしているとは限らない。よって、ＵＥ１００は、マクロセル周波数帯でＨｅＮＢ４００からの発見用信号を検出しても、そのＨｅＮＢ４００の周波数帯域をサポートしていないのであれば、そのＨｅＮＢ４００に接続できないことになる。
【０１８５】
そこで、ＨｅＮＢ４００を周波数帯域別にグループ化し、グループ毎に異なるサブフレームで発見用信号を送信するようにする。また、ＵＥ１００は、自身がサポートする周波数帯域に対応するサブフレームにおいてのみ発見用信号をスキャンする。このようにすれば、ＵＥ１００は、接続可能なＨｅＮＢ４００のみを発見することができる。
【０１８６】
なお、第３実施形態では、特定機器としてＡＰ３００及びＨｅＮＢ４００を例示したが、特定機器は、端末間無線通信をサポートするＵＥであってもよい。端末間無線通信は、Ｄ２Ｄ（Ｄｅｖｉｃｅ  ｔｏ  Ｄｅｖｉｃｅ）通信と称される。Ｄ２Ｄ通信は、複数のＵＥが、ＥＰＣ２０を介さずに直接的に通信を行うものである。Ｄ２Ｄ通信をセルラ周波数帯域内で行うＵＥは、ＨｅＮＢ４００と同様の位置付けとすることができる。一方、Ｄ２Ｄ通信をセルラ周波数帯域外で行うＵＥは、ＡＰ３００と同様の位置付けとすることができる。また、ｅＮＢ２００のカバレッジ内に特定機器が複数含まれている場合、特定機器ごとにグループ化し、グループ毎に異なるサブフレームで発見用信号を送信するようにしてもよい。
【０１８７】
或いは、特定機器は、アンライセンスバンドで通信を行うセルラ基地局であってもよい。
【０１８８】
［第４実施形態］
第４実施形態について、上述した第１実施形態乃至第３実施形態との相違点を主として説明する。第４実施形態に係るシステム構成及び動作環境は、第３実施形態と同様である。
【０１８９】
上述した第３実施形態では、ＡＰ３００は、セルラ周波数帯域内で発見用信号としてのビーコン信号を送信していた。これに対し、第４実施形態では、ＡＰ３００は、セルラ周波数帯域内でビーコン信号を送信するのではなく、セルラ周波数帯域内で通常のセルラ参照信号（例えば、ＣＲＳ）を送信する。
【０１９０】
第４実施形態では、ＡＰ３００には、ＡＰ３００を識別するセル識別子が割り当てられている。すなわち、ＡＰ３００は、ＷＬＡＮシステムに属するものの、セルラ通信システム（ＬＴＥシステム）で使用されるセル識別子が割り当てられている。ｅＮＢ２００は、ＡＰ３００に割り当てられているセル識別子を記憶する。
【０１９１】
図２０は、第４実施形態に係るシーケンス図である。図２０の初期状態において、ＵＥ１００は、ｅＮＢ２００に接続しており、かつ、ＷＬＡＮ送受信機１１２をオフ状態にしている。また、ｅＮＢ２００及びＡＰ３００は、協調して動作するためのネゴシエーションを行っている（ステップＳ４１０１）。
【０１９２】
図２０に示すように、ステップＳ４１０２において、ＡＰ３００は、セルラ周波数帯域内でセルラ参照信号をブロードキャストする。ＡＰ３００が送信するセルラ参照信号は、ＡＰ３００に割り当てられたセル識別子を含む。
【０１９３】
ｅＮＢ２００に接続するＵＥ１００は、セルラ周波数帯域内でＡＰ３００からブロードキャストされるセルラ参照信号を受信する。この場合、ＵＥ１００の視点では、セルラ参照信号の送信元がＡＰ３００であることを識別できないため、通常の動作に従ってセルラ参照信号に対する測定（例えば、受信電力の測定）を行い、測定結果を示す測定情報をｅＮＢ２００に報告する（ステップＳ４１０４）。測定情報は、測定対象のセルのセル識別子を含む。
【０１９４】
ステップＳ４１０５において、ｅＮＢ２００は、ＵＥ１００から報告された測定情報に基づいて、ＵＥ１００がＡＰ３００からのセルラ参照信号を受信したか否かを判断する。ｅＮＢ２００は、例えば、測定情報に含まれるセル識別子が、ＡＰ３００に割り当てられたセル識別子と一致することを確認すると、ＵＥ１００がＡＰ３００からのセルラ参照信号を受信したと判断する。
【０１９５】
ステップＳ４１０６において、ｅＮＢ２００は、ＵＥ１００をＡＰ３００に接続させるか否か（すなわち、オフロードを行うか否か）を判断する。かかる判断方法については、第１実施形態と同様である。以降の動作については、第３実施形態に係る動作パターン１と同様である。
【０１９６】
なお、第４実施形態では、ＡＰ３００に代えて、アンライセンスバンドで通信を行うセルラ基地局を使用してもよい。
【０１９７】
［第５実施形態］
第５実施形態について、上述した第１実施形態乃至第４実施形態との相違点を主として説明する。第５実施形態に係るシステム構成及び動作環境は、第３実施形態と同様である。
【０１９８】
第５実施形態では、ＡＰ３００は、ｅＮＢ２００に接続するＵＥ１００が送信するセルラ上りリンク信号を検出することにより、ＡＰ３００にＵＥ１００が近接したことを検知する。ＡＰ３００は、セルラ上りリンク信号の検出に基づいて、ＡＰ３００にＵＥ１００が近接したことを示す通知をｅＮＢ２００に送信する。ｅＮＢ２００は、ＡＰ３００からの通知に基づいて、ＡＰ３００をスキャンするための情報をＵＥ１００に送信する。
【０１９９】
第５実施形態に係る動作パターン１及び２では、ＡＰ３００は、ＵＥ１００が送信するセルラ上りリンク信号に関する信号情報をｅＮＢ２００から取得し、該信号情報に基づいて、ＵＥ１００とＡＰ３００との間のパスロスを推定する。ＡＰ３００は、パスロスが閾値未満である場合に、ＡＰ３００にＵＥ１００が近接すると判断する。
【０２００】
第５実施形態に係る動作パターン３では、ＡＰ３００は、ＡＰ３００とｅＮＢ２００との間の距離と、セルラ上りリンク信号の受信電力と、に基づいて、ＡＰ３００にＵＥ１００が近接するか否かを判断する。
【０２０１】
図２１は、第５実施形態に係る動作パターン１のシーケンス図である。図２１の初期状態において、ＵＥ１００は、ｅＮＢ２００に接続しており、かつ、ＷＬＡＮ送受信機１１２をオフ状態にしている。また、ｅＮＢ２００及びＡＰ３００は、協調して動作するためのネゴシエーションを行っている（ステップＳ５１０１）。
【０２０２】
図２１に示すように、ステップＳ５１０２において、ＡＰ３００は、ビーコン信号を送信する。
【０２０３】
ステップＳ５１０３において、ＵＥ１００は、ｅＮＢ２００へのセルラ上りリンク信号を送信する。セルラ上りリンク信号は、例えば上りリンク参照信号（ＳＲＳ：Ｓｏｕｎｄｉｎｇ  Ｒｅｆｅｒｅｎｃｅ  Ｓｉｇｎａｌ）であってもよい。
【０２０４】
ステップＳ５１０４において、ＡＰ３００は、ＵＥ１００からのセルラ上りリンク信号を受信し、ＵＥ１００の存在を検出する。また、ＡＰ３００は、ＵＥ１００からのセルラ上りリンク信号の受信電力を測定するとともに、該セルラ上りリンク信号に対応するリソースエレメントを特定する。
【０２０５】
ステップＳ５１０５において、ＡＰ３００は、特定したリソースエレメントの情報をｅＮＢ２００に送信する。ＡＰ３００は、測定した上りリンク受信電力の情報もｅＮＢ２００に送信してもよい。
【０２０６】
ステップＳ５１０６において、ｅＮＢ２００は、ＡＰ３００から受信したリソースエレメント情報に基づいて、そのリソースエレメントが割り当てられたＵＥ１００を特定する。なお、第５実施形態では、ｅＮＢ２００が割当履歴の情報を記憶していることを前提としている。
【０２０７】
ステップＳ５１０７において、ｅＮＢ２００は、特定したＵＥ１００についてのＳＲＳ設定情報及び上りリンク送信電力を特定する。
【０２０８】
ステップＳ５１０８において、ｅＮＢ２００は、特定したＳＲＳ設定情報及び上りリンク送信電力の情報をＡＰ３００に送信する。
【０２０９】
ステップＳ５１０９において、ＡＰ３００は、ｅＮＢ２００から受信したＳＲＳ設定情報及び上りリンク送信電力に基づいて、ＵＥ１００とＡＰ３００との間のパスロスを推定する。パスロスは、「ＵＥ１００の送信電力（ステップＳ５１０８で得られた上りリンク送信電力）」から、「ＡＰ３００の受信電力（ステップＳ５１０４で測定された受信電力）」を減算することで求められる。
【０２１０】
ステップＳ５１１０において、ＡＰ３００は、推定したパスロスを閾値と比較し、パスロスが閾値未満であるか否かを確認する。ここでは、パスロスが閾値未満であると仮定して、説明を進める。
【０２１１】
ステップＳ５１１１において、ＡＰ３００は、ＵＥ１００がＡＰ３００に近接したことを示す通知をｅＮＢ２００に送信する。
【０２１２】
ステップＳ５１１２において、ｅＮＢ２００は、ＵＥ１００をＡＰ３００に接続させるか否かを判断する。かかる判断方法については、第１実施形態と同様である。ここでは、ＵＥ１００をＡＰ３００に接続させると判断されたと仮定して、説明を進める。
【０２１３】
ステップＳ５１１３において、ｅＮＢ２００は、ＡＰ３００への接続指示（スキャン指示）をＵＥ１００に送信する。接続指示は、ＡＰ３００の識別子（ＳＳＩＤ／ＥＳＳＩＤ）を含む。
【０２１４】
ステップＳ５１１４において、ＵＥ１００は、接続指示を受信したことに応じて、ＷＬＡＮ送受信機１１２をオン状態に切り替えてスキャンを行う。
【０２１５】
ステップＳ５１１５において、ＵＥ１００は、スキャンによりＡＰ３００を発見する。
【０２１６】
ステップＳ５１１６において、ＵＥ１００は、ＡＰ３００に接続する。
【０２１７】
図２２は、第５実施形態に係る動作パターン２のシーケンス図である。ここでは、動作パターン１との相違点を主として説明する。動作パターン２は、ＡＰ３００における近接検知の方法が動作パターン１とは異なる。
【０２１８】
図２２に示すように、ステップＳ５２０１乃至Ｓ５２０３は動作パターン１と同様である。
【０２１９】
ステップＳ５２０４において、ＡＰ３００は、ＵＥ１００からのセルラ上りリンク信号を受信したことを示す通知をｅＮＢ２００に送信する。
【０２２０】
ステップＳ５２０５において、ｅＮＢ２００は、ＵＥ１００をＡＰ３００に接続させるか否かを判断する。ここでは、ｅＮＢ２００は、大まかな判断、例えばオフロードの必要性のみを判断する。ここでは、ｅＮＢ２００が、ＵＥ１００をＡＰ３００に接続させると判断したと仮定して、説明を進める。
【０２２１】
ステップＳ５２０６において、ｅＮＢ２００は、ＵＥ１００に割り当てられている物理ランダムアクセスチャネル（ＰＲＡＣＨ）に関する情報（送信電力、送信タイミング及びプリアンブルなど）をＡＰ３００に送信する。
【０２２２】
ステップＳ５２０７において、ｅＮＢ２００は、ＰＲＡＣＨ上でプリアンブル（ステップＳ５２０６でＡＰ３００に通知したプリアンブル）を送信するようＵＥ１００に指示する。
【０２２３】
ステップＳ５２０８において、ＵＥ１００は、ｅＮＢ２００からの指示に従い、ＰＲＡＣＨ上でプリアンブルを送信する。
【０２２４】
ステップＳ５２０９において、ＡＰ３００は、ｅＮＢ２００からの情報に基づいて、ＵＥ１００からのプリアンブルを検出し、受信電力を測定する。
【０２２５】
ステップＳ５２１０において、ＡＰ３００は、検出したプリアンブルに基づいて、ＵＥ１００とＡＰ３００との間のパスロスを推定する。パスロスは、「ＵＥ１００の送信電力（ステップＳ５２０６で得られた送信電力）」から、「ＡＰ３００の受信電力（ステップＳ５２０９で測定された受信電力）」を減算することで求められる。
【０２２６】
以降の動作については、動作パターン１と同様である。
【０２２７】
次に、第５実施形態に係る動作パターン３について説明する。動作パターン３では、ＡＰ３００は、ＵＥ１００からのセルラ上りリンク信号を検出した後、ｅＮＢ２００から情報を取得することなく、ＵＥ１００がＡＰ３００に近接するか否かを判断する。具体的には、ＡＰ３００は、自身がｅＮＢ２００の遠方に設けられていることを確認した上で、ＵＥ１００からのセルラ上りリンク信号の受信電力が高い場合には、ＵＥ１００がＡＰ３００に近接すると判断する。
【０２２８】
なお、第５実施形態では、ＡＰ３００に代えて、アンライセンスバンドで通信を行うセルラ基地局を使用してもよい。
【０２２９】
［第６実施形態］
第６実施形態について、上述した第１実施形態乃至第５実施形態との相違点を主として説明する。第５実施形態に係るシステム構成及び動作環境は、第１実施形態と同様である。
【０２３０】
上述した第１実施形態乃至第５実施形態は、ＵＥ１００を極力ＡＰ３００に接続させる実施形態であった。これに対し、第５実施形態は、特定の状況下でＵＥ１００を極力ＡＰ３００に接続させないようにする。具体的には、図７に示したようにＡＰ３００のカバレッジは狭いため、高速に移動するＵＥ１００は、ＡＰ３００のカバレッジを直ぐに通過してしまう。よって、高速に移動するＵＥ１００は、ＷＬＡＮスキャンを行わないことが効率的である。
【０２３１】
従って、第６実施形態では、ｅＮＢ２００に接続するＵＥ１００は、自身の移動速度を導出し、該移動速度が閾値を超える場合には、ＷＬＡＮ送受信機１１２がオン状態であっても、ＵＥ１００がＷＬＡＮスキャンを停止する。
【０２３２】
図２３は、第６実施形態に係るシーケンス図である。図２３の初期状態において、ＵＥ１００は、ｅＮＢ２００に接続しており、かつ、ＷＬＡＮ送受信機１１２をオフ状態にしている。
【０２３３】
ステップＳ６１０１において、ＵＥ１００は、ＷＬＡＮ送受信機１１２をオン状態に切り替えてＷＬＡＮスキャンを開始する。
【０２３４】
ステップＳ６１０２において、ＵＥ１００は、自身の移動速度を導出（算出）する。ＵＥ１００の移動速度は、例えばＧＮＳＳにより得られるＵＥ位置情報から導出できる。そして、ＵＥ１００は、自身の移動速度が閾値を超えるか否かを判断する。ここでは、ＵＥ１００が、自身の移動速度が閾値を超えると判断したと仮定して、説明を進める。
【０２３５】
ステップＳ６１０３において、ＵＥ１００は、ＷＬＡＮスキャンを停止する。
【０２３６】
ステップＳ６１０４において、ＵＥ１００は、自身の移動速度を導出（算出）する。そして、ＵＥ１００は、自身の移動速度が閾値を超えるか否かを判断する。ここでは、ＵＥ１００が、自身の移動速度が閾値以下であると判断したと仮定して、説明を進める。この場合、ＵＥ１００は、ＷＬＡＮスキャンを再開する。
【０２３７】
ステップＳ６１０５において、ＵＥ１００は、ＡＰ３００からのビーコン信号を受信する。
【０２３８】
ステップＳ６１０６において、ＵＥ１００は、スキャンによりＡＰ３００からのビーコン信号を検出（すなわち、ＡＰ３００を発見）する。
【０２３９】
なお、第６実施形態では、ＵＥ１００の移動速度を判断基準としてＡＰ３００への接続規制を行っていたが、他の判断基準を使用してもよい。例えば、トラフィック種別を判断基準として、ＵＥ１００が送受信するトラフィック種別が特定のトラフィック種別（例えば、ＱｏＳの高いトラフィック）である場合に、ＡＰ３００への接続規制を行ってもよい。この場合、ＡＰ３００へ接続を切り替えることによる通信の中断を防止できる。
【０２４０】
［第７実施形態］
第７実施形態について、上述した第１実施形態乃至第６実施形態との相違点を主として説明する。第７実施形態に係るシステム構成及び動作環境は、第１実施形態と同様である。
【０２４１】
第７実施形態は、第６実施形態と同様に、特定の状況下でＡＰ３００への接続規制を行う。ただし、第７実施形態では、ｅＮＢ２００主導でＡＰ３００への接続規制を行う。
【０２４２】
第７実施形態に係るｅＮＢ２００は、ｅＮＢ２００に接続するＵＥ１００に対して、ＷＬＡＮスキャンをＵＥ１００が行うか否かを制御する制御情報を送信する。
【０２４３】
第７実施形態に係る動作パターン１では、ｅＮＢ２００は、スキャンを行うべき条件が満たされた場合には、スキャンを行うよう指示する制御情報を送信し、該条件が満たされない場合には、スキャンを停止するよう指示する制御情報を送信する。
【０２４４】
第７実施形態に係る動作パターン２では、ｅＮＢ２００は、スキャンを行うべき条件又はスキャンを停止すべき条件を示す条件情報を制御情報に含める。この場合、ＵＥ１００は、条件情報に基づいて、スキャンを停止すべきか否かを判断する。
【０２４５】
図２４は、第７実施形態に係る動作パターン１のシーケンス図である。図２４の初期状態において、ＵＥ１００は、ｅＮＢ２００に接続しており、かつ、ＷＬＡＮ送受信機１１２をオフ状態にしている。
【０２４６】
図２４に示すように、ステップＳ７１０１において、ＵＥ１００は、ＷＬＡＮ送受信機１１２をオン状態に切り替えてＷＬＡＮスキャンを開始する。
【０２４７】
ステップＳ７１０２において、ｅＮＢ２００は、ＵＥ１００の移動速度を導出（算出）する。ＵＥ１００の移動速度は、例えばＥＰＣ２０で管理されているＵＥ移動速度情報（単位時間当たりのハンドオーバ回数）を使用できる。そして、ｅＮＢ２００は、ＵＥ１００の移動速度が閾値を超えるか否かを判断する。ここでは、ｅＮＢ２００が、ＵＥ１００の移動速度が閾値を超えると判断したと仮定して、説明を進める。
【０２４８】
ステップＳ７１０３において、ｅＮＢ２００は、スキャンを停止するよう指示する制御情報をＵＥ１００に送信する。
【０２４９】
ステップＳ７１０４において、ＵＥ１００は、ｅＮＢ２００からの制御情報に従い、ＷＬＡＮスキャンを停止する。
【０２５０】
ステップＳ７１０５において、ｅＮＢ２００は、ＵＥ１００の移動速度を導出（算出）する。そして、ｅＮＢ２００は、ＵＥ１００の移動速度が閾値を超えるか否かを判断する。ここでは、ｅＮＢ２００が、ＵＥ１００の移動速度が閾値以下であると判断したと仮定して、説明を進める。
【０２５１】
ステップＳ７１０６において、ｅＮＢ２００は、スキャンを行うよう指示する制御情報をＵＥ１００に送信する。ＵＥ１００は、ｅＮＢ２００からの制御情報に従い、ＷＬＡＮスキャンを再開する。
【０２５２】
ステップＳ７１０７において、ＵＥ１００は、ＡＰ３００からのビーコン信号を受信する。
【０２５３】
ステップＳ７１０８において、ＵＥ１００は、スキャンによりＡＰ３００からのビーコン信号を検出（すなわち、ＡＰ３００を発見）する。
【０２５４】
なお、動作パターン１では、ＵＥ１００の移動速度を判断基準としてＡＰ３００への接続規制を行っていたが、他の判断基準を使用してもよい。例えば、トラフィック種別を判断基準として、ＵＥ１００が特定のトラフィック種別（例えば、ＱｏＳの高いトラフィック）の送受信を開始する場合に、ＡＰ３００への接続規制を行ってもよい。或いは、ｅＮＢ２００の負荷レベルを判断基準として、ｅＮＢ２００の負荷レベルが低い場合に、ＡＰ３００への接続規制を行ってもよい。或いは、ＵＥ１００とｅＮＢ２００との間の無線品質を判断基準として、該無線品質が高い場合に、ＡＰ３００への接続規制を行ってもよい。
【０２５５】
図２５は、第７実施形態に係る動作パターン２のシーケンス図である。ここでは、動作パターン１との相違点を主として説明する。
【０２５６】
ステップＳ７２０１において、ｅＮＢ２００は、スキャンを行うべき条件又はスキャンを停止すべき条件を示す条件情報を含んだ制御情報をＵＥ１００に送信する。条件情報で指定される判断基準は、上述したように、ＵＥ移動速度、トラフィック種別又は無線品質などである。
【０２５７】
ステップＳ７２０２において、ＵＥ１００は、条件情報で示される条件が満たされたか否かを判断する。ここでは、スキャンを行うべき条件が満たされなかった（又はスキャンを停止すべき条件が満たされた）と仮定して、説明を進める。
【０２５８】
ステップＳ７２０３において、ＵＥ１００は、ＷＬＡＮスキャンを停止する。
【０２５９】
ステップＳ７２０４において、ＵＥ１００は、条件情報で示される条件が満たされたか否かを判断する。ここでは、スキャンを行うべき条件が満たされた（又はスキャンを停止すべき条件が満たされなかった）と仮定して、説明を進める。
【０２６０】
ステップＳ７２０５において、ＵＥ１００は、ＷＬＡＮ送受信機１１２をオン状態に切り替えてＷＬＡＮスキャンを開始する。
【０２６１】
ステップＳ７２０６において、ＵＥ１００は、ＡＰ３００からのビーコン信号を受信する。
【０２６２】
ステップＳ７２０７において、ＵＥ１００は、スキャンによりＡＰ３００からのビーコン信号を検出（すなわち、ＡＰ３００を発見）する。
【０２６３】
［第８実施形態］
第８実施形態について、上述した第１実施形態乃至第７実施形態との相違点を主として説明する。第８実施形態に係るシステム構成及び動作環境は、第１実施形態と同様である。
【０２６４】
第８実施形態は、ＵＥ１００の接続先をＡＰ３００からｅＮＢ２００に切り替える実施形態である。第８実施形態では、ＵＥ１００は、ＡＰ３００からｅＮＢ２００に接続先を切り替える場合に、ＡＰ３００からｅＮＢ２００への切り替えであることを示す通知情報をｅＮＢ２００に送信する。通知情報は、ＡＰ３００を識別するための識別子（ＳＳＩＤ／ＥＳＳＩＤ）、及び／又はＵＥ１００を識別するための識別子を含む。ｅＮＢ２００は、通知情報に基づいて、ＵＥ１００宛ての送信データをｅＮＢ２００に転送するよう要求する要求情報をＡＰ３００に送信する。
【０２６５】
図２６は、第８実施形態に係る動作パターン１のシーケンス図である。動作パターン１では、ＡＰ３００に接続するＵＥ１００がＡＰ３００のカバレッジ外に移動すると予測される状況下で、ＵＥ１００の接続先をＡＰ３００からｅＮＢ２００に切り替える。なお、図２６の初期状態において、ＵＥ１００は、ＡＰ３００に接続（ステップＳ８１０１）している。また、ｅＮＢ２００及びＡＰ３００は、協調して動作するためのネゴシエーションを行っている（ステップＳ８１０２）。
【０２６６】
図２６に示すように、ステップＳ８１０３において、ＵＥ１００は、自身の移動速度を導出（算出）する。ＵＥ１００の移動速度は、例えばＧＮＳＳにより得られるＵＥ位置情報から導出できる。そして、ＵＥ１００は、自身の移動速度が閾値を超えるか否かを判断する。ここでは、ＵＥ１００が、自身の移動速度が閾値以下であると判断したと仮定して、説明を進める。
【０２６７】
ステップＳ８１０４において、ＵＥ１００は、ＡＰ３００からｅＮＢ２００への切り替えを行わないようにする。
【０２６８】
ステップＳ８１０５において、ＵＥ１００は、自身の移動速度を導出（算出）する。そして、ＵＥ１００は、自身の移動速度が閾値を超えるか否かを判断する。ここでは、ＵＥ１００が、自身の移動速度が閾値を超えると判断したと仮定して、説明を進める。
【０２６９】
ステップＳ８１０６において、ＡＰ３００からｅＮＢ２００への切り替えを決定する。
【０２７０】
ステップＳ８１０７乃至Ｓ８１０９において、ＵＥ１００は、ｅＮＢ２００との間でランダムアクセス手順及びＲＲＣ接続確立手順を行う。ＲＲＣ接続確立手順において、ＵＥ１００は、ＡＰ３００からｅＮＢ２００への切り替えであることを示す通知情報（Ｏｕｔ−ｂｏｕｎｄ  ｉｎｆｏ．）をｅＮＢ２００に送信する。
【０２７１】
ステップＳ８１１０において、ｅＮＢ２００は、ＵＥ１００から受信した通知情報に基づいて、ＵＥ１００宛ての送信データをｅＮＢ２００に転送するよう要求する要求情報をＡＰ３００に送信する。
【０２７２】
ステップＳ８１１１において、ＡＰ３００は、ｅＮＢ２００から受信した要求情報に応じて、ＵＥ１００宛ての送信データをｅＮＢ２００に転送する。ｅＮＢ２００は、ＡＰ３００から受信した送信データをＵＥ１００に送信する。その結果、ＡＰ３００からｅＮＢ２００への切り替えをシームレスに行うことができる。
【０２７３】
なお、動作パターン１では、ＵＥ１００の移動速度を判断基準としてＡＰ３００からｅＮＢ２００への切り替え判断を行っていたが、他の判断基準を使用してもよい。例えば、ＵＥ１００がＡＰ３００から受信するＷＬＡＮ信号の受信電力（ＲＳＳＩ）を判断基準として、ＲＳＳＩが閾値を下回った場合に、ＡＰ３００からｅＮＢ２００への切り替えを決定してもよい。
【０２７４】
図２７は、第８実施形態に係る動作パターン２のシーケンス図である。動作パターン２では、例えばＡＰ３００の負荷レベルが高い状況下で、ＵＥ１００の接続先をＡＰ３００からｅＮＢ２００に切り替える。ここでは、動作パターン１との相違点を主として説明する。
【０２７５】
ステップＳ８２０２において、ＡＰ３００は、自身の負荷レベルに基づいて、ＵＥ１００の接続先をＡＰ３００からｅＮＢ２００に切り替えるか否かを判断する。ＡＰ３００は、例えば、自身の負荷レベルが閾値を超える場合に、ＵＥ１００の接続先をＡＰ３００からｅＮＢ２００に切り替えると判断する。ここでは、ＡＰ３００が、ＵＥ１００の接続先をＡＰ３００からｅＮＢ２００に切り替えると判断したと仮定して、説明を進める。
【０２７６】
ステップＳ８２０３において、ＡＰ３００は、ＡＰ３００からｅＮＢ２００への切り替え指示をＵＥ１００に送信する。以降の処理については、動作パターン１と同様である。
【０２７７】
なお、動作パターン２では、ＡＰ３００の負荷レベルを判断基準としてＡＰ３００からｅＮＢ２００への切り替え判断を行っていたが、他の判断基準を使用してもよい。例えば、ＵＥ１００の移動速度を判断基準としてもよい。
【０２７８】
なお、第８実施形態では、ＡＰ３００に代えて、アンライセンスバンドで通信を行うセルラ基地局を使用してもよい。
【０２７９】
［第９実施形態］
第９実施形態について、上述した第１実施形態乃至第８実施形態との相違点を主として説明する。第９実施形態に係るシステム構成及び動作環境は、第１実施形態と同様である。
【０２８０】
第９実施形態は、第８実施形態と同様に、ＵＥ１００の接続先をＡＰ３００からｅＮＢ２００に切り替えるための実施形態である。第９実施形態では、ＡＰ３００は、ＵＥ１００の接続先をＡＰ３００からｅＮＢ２００に切り替える場合に、ｅＮＢ２００への切り替えを要求する要求情報をｅＮＢ２００に送信する。そして、ＡＰ３００は、要求情報に対する応答をｅＮＢ２００から受信した場合に、ｅＮＢ２００への切り替えを指示する指示情報をＵＥ１００に送信する。
【０２８１】
図２８は、第９実施形態に係るシーケンス図である。図２８の初期状態において、ＵＥ１００は、ＡＰ３００に接続している。また、ｅＮＢ２００及びＡＰ３００は、協調して動作するためのネゴシエーションを行っている（ステップＳ９１０１）。ここで、ＡＰ３００は、自身がｅＮＢ２００のカバレッジ内に設けられていることを確認する。
【０２８２】
図２８に示すように、ステップＳ９１０２において、ＡＰ３００は、自身の負荷レベルに基づいて、ＵＥ１００の接続先をＡＰ３００からｅＮＢ２００に切り替えるか否かを判断する。
【０２８３】
ここで、ＡＰ３００はｅＮＢ２００のカバレッジ内に設けられており、ＡＰ３００に接続するＵＥ１００はｅＮＢ２００との間の無線品質が所定レベル以上であることが保証される。よって、ＡＰ３００は、ｅＮＢ２００についての測定報告をＵＥ１００から受信することなく、ＵＥ１００の接続先をｅＮＢ２００に切り替えると決定することができる。
【０２８４】
ここでは、ＡＰ３００が、ＵＥ１００の接続先をＡＰ３００からｅＮＢ２００に切り替えると決定したと仮定して、説明を進める。
【０２８５】
ステップＳ９１０３において、ＡＰ３００は、ｅＮＢ２００への切り替えを要求する要求情報をｅＮＢ２００に送信する。
【０２８６】
ステップＳ９１０４において、ｅＮＢ２００は、ＡＰ３００からの要求情報に対する応答（Ａｃｋ）と共に、ｅＮＢ２００への接続手順に使用される情報（コンテンションフリー・プリアンブルなど）をＡＰ３００に送信する。
【０２８７】
ステップＳ９１０５において、ＡＰ３００は、ｅＮＢ２００から応答（Ａｃｋ）を受信したことに応じて、ＡＰ３００からｅＮＢ２００への切り替え指示をＵＥ１００に送信する。切替え指示は、ｅＮＢ２００への接続手順に使用される情報を含む。
【０２８８】
ステップＳ９１０６において、ＡＰ３００は、切り替え指示をＵＥ１００に送信するとともに、ＵＥ１００宛ての送信データをｅＮＢ２００に転送する。
【０２８９】
ステップＳ９１０７乃至Ｓ９１０９において、ＵＥ１００は、ｅＮＢ２００との間で接続処理を行う。
【０２９０】
なお、第９実施形態では、ＡＰ３００に代えて、アンライセンスバンドで通信を行うセルラ基地局を使用してもよい。
【０２９１】
［その他の実施形態］
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【０２９２】
上述した第１実施形態乃至第９実施形態のそれぞれは、個別に実施する場合に限らず、相互に組み合わせて実施してもよい。
【０２９３】
上述した各実施形態では、ｅＮＢ２００及びＡＰ３００が個別の装置であるケースについて説明したが、ｅＮＢ２００は、ＡＰ３００の機能を有していてもよい。すなわち、ｅＮＢ２００は、ＷＬＡＮ送受信機を有していてもよい。また、ＨｅＮＢ４００がＡＰ３００の機能を有していてもよい。
【０２９４】
上述した実施形態では、ＵＥ１００とＡＰ３００との間の秘匿通信について特に考慮していないが、かかる秘匿通信を考慮してもよい。ｅＮＢ２００は、ＡＰ３００に接続させると決定したＵＥ１００について、該ＡＰ３００との秘匿通信に使用される接続設定情報の有無を該ＵＥ１００に問い合わせる。かかる接続設定情報をユーザ端末が有していない場合、ｅＮＢ２００は、一時的な接続設定情報の発行を接続対象のＡＰ３００に要求する。そして、ｅＮＢ２００からの要求に応じてＡＰ３００が発行した一時的な接続設定情報を、ＡＰ３００からｅＮＢ２００を経由してＵＥ１００に通知する。以下において、詳細な手順について説明する。
【０２９５】
第１に、ｅＮＢ２００は、ＵＥ１００に、接続対象のＡＰ３００との接続設定(秘匿設定）有無を問い合わせるためのＷＬＡＮ接続設定確認情報を送信する。ＷＬＡＮ接続設定確認情報は、接続対象のＡＰ３００の識別子（ＳＳＩＤ／ＥＳＳＩＤ）を含む。
【０２９６】
第２に、ＵＥ１００は、問合せＡＰ３００に対する接続設定の有無を示すＷＬＡＮ接続設定応答をｅＮＢ２００に返信する。ＷＬＡＮ接続設定応答は、接続対象のＡＰ３００の識別子（ＳＳＩＤ／ＥＳＳＩＤ）を含む。
【０２９７】
第３に、ｅＮＢ２００は、ＷＬＡＮ接続設定応答にて、接続設定なしの場合、接続対象のＡＰ３００に対して、一時的な接続設定の発行を要求する発行要求情報を送信する。発行要求情報は、ＵＥ１００のＷＬＡＮのＭＡＣ−ＩＤを含む。
【０２９８】
第４に、ＡＰ３００は、ｅＮＢ２００からの発行要求情報に対して、一時的な接続設定情報を生成し、ｅＮＢ２００に通知する。一時的な接続設定情報は、秘匿設定（秘匿タイプ、秘匿キー）の情報を含む。
【０２９９】
第５に、ｅＮＢ２００は、ＡＰ３００からの一時的な接続設定情報にＡＰ３００の識別子（ＳＳＩＤ／ＥＳＳＩＤ）を付加してＵＥ１００に転送する。ｅＮＢ２００は、上述したスキャン指示に一時的な接続設定情報を含めてもよい。
【０３００】
上述した実施形態では、ＵＥ１００のＷＬＡＮサービスの利用可否について特に考慮していないが、ＷＬＡＮサービスの利用可否を考慮してもよい。ｅＮＢ２００は、自セルに接続するＵＥ１００について、ＡＰ３００を利用できるサービスに登録されているか否かをサービス管理サーバに問い合わせる。ｅＮＢ２００は、かかるサービスにＵＥ１００が登録されていない場合、サービスに登録するための認証情報をｅＮＢ２００からＵＥ１００に送信してもよい。以下において、詳細な手順について説明する。
【０３０１】
第１に、ｅＮＢ２００は、サービス管理サーバに、ＷＬＡＮのネットワークへのサービス登録の有無を問い合わせるためのサービス登録確認情報を送信する。サービス登録確認情報は、ＵＥ１００の識別子（例えばＭＡＣ−ＩＤ）を含む。
【０３０２】
第２に、サービス管理サーバは、ＷＬＡＮサービスへの登録状況を示すサービス登録情報をｅＮＢ２００に返信する。サービス登録情報は、ＵＥ１００の識別子（例えばMAC−ＩＤ）を含む。
【０３０３】
第３に、ｅＮＢ２００は、サービス管理サーバからのサービス登録情報にて、サービス契約ありの場合、ＵＥ１００に対して、スキャン指示（ＷＬＡＮ接続要求）を送信する。一方、サービス契約なしの場合、ｅＮＢ２００は、ＵＥ１００に対してスキャン指示を送信しない。或いは、ｅＮＢ２００は、一時的なサービス提供を決定し、サービス用の一時的なログイン設定のための認証情報、すなわちサービス認証キー（認証ＩＤ、パスワード）をＵＥ１００に送信する。
【０３０４】
上述した実施形態では、セルラ通信システムの一例としてＬＴＥシステムを説明したが、ＬＴＥシステムに限定されるものではなく、ＬＴＥシステム以外のセルラ通信システムであってもよい。
【０３０５】
また、ホワイトリストは接続可能なＡＰ３００（Ｐｌａｎｎｅｄ  ＡＰ）のリストだと説明したが、これに接続すべきではないAP３００のリスト（ブラックリスト）の情報を付記してもよい。
【０３０６】
以下において、上述した実施形態の補足事項について付記する。
【０３０７】
［付記１］
３ＧＰＰ／ＷＬＡＮインターワーキング検討事項の主な目的の１つは、３ＧＰＰとＷＬＡＮとの間のインターワーキングを、現在、ＣＮレベルでサポートされている統合を越えて、拡張することである。ユーザ体験全般を改善するために、ＲＡＮレベルでの更なる改善が必要である。その結果、ネットワークの利用を改善し、ＵＥの不要な電力消費を削減し、２つのネットワーク間をシームレスに移動することができるようになる。付記１では、これらの目的を達成するために必要ないくつかのシナリオを検討する。
【０３０８】
上記検討事項に基づいて、本検討事項の初期フェーズは、ＲＡＮレベルのインターワーキングの必要要件を認識すること、及び、既存の基準を考慮しつつ、ここで検討されるべきシナリオを明確にすることである。以下に検討されるシナリオは、現システムに対する改良点が含まれ、適切なＵＥ挙動を更に分析する必要がある。
【０３０９】
３ＧＰＰ／ＷＬＡＮインターワーキングにおいて、オペレータは、様々な配置のオプションを検討することが可能である。一般的に、ＷＬＡＮ  ＡＰは様々な場所に設置することができる。カバレッジの拡張のために、ＷＬＡＮは、３ＧＰＰアクセスネットワークが利用できない場所に設置されてもよい。しかしながら、３ＧＰＰ／ＷＬＡＮインターワーキングにおいて、ＷＬＡＮ  ＡＰが３ＧＰＰノードのいずれかと協働設置され（co-located）ているか否かに拘わらず、ＷＬＡＮが３ＧＰＰシステム上でオーバーレイ（overlaid）されるシナリオに絞るべきである。
【０３１０】
観察：３ＧＰＰ／ＷＬＡＮインターワーキングは、３ＧＰＰシステムのカバレッジ内に配置されているＷＬＡＮへのオフロードにのみ適用できる。
【０３１１】
リリース１０において、複数の無線アクセス技術に対する同時ネットワーク接続がＭＡＰＣＯＮ、ＩＦＯＭ、非シームレスＷＬＡＮオフロードによって可能となった。これを考慮に入れると、ＡＮＤＳＦフレームワークは、インターシステムルーティングポリシー（ＩＳＲＰ）の導入に伴い、改善された。その結果、オペレータがＵＥにより送受信されるトラフィックに基づいたポリシーを提供することが可能となった。リリース１１では、ＡＮＤＳＦおよびインターシステムルーティングポリシー（ＩＳＲＰ）の拡張によって、オペレータは、各アプリケーションまたはＩＰフローのために使用されるネットワークリソースをより良く制御できるようになった。例えば、オペレータは、ある閾値を超えたデータ率を要求するＩＰフローが特定のアクセスを通して送信されることを、ＡＮＤＳＦポリシーによって通知してもよい。
【０３１２】
しかし、これらのネットワークの改善では、オフロードの目的であるＵＥの電力消費の問題に対応できない。オフロードによって、ネットワークは、ＷＬＡＮ  ＡＰにオフロードすることができない他のＵＥ用の解放リソースを提供される。ＷＬＡＮ ＡＰへのオフロードは、３ＧＰＰ無線やネットワークが混雑した場合にも、有益である。ネットワークから見れば、オフロードに対する大きな利点があるが、常に３ＧＰＰ無線とＷＬＡＮ無線の両方の電源をオン状態にする必要性をなくすべきである。なぜなら、特に、ＷＬＡＮ  ＡＰがより広範囲に設置されている場合、ＵＥで過剰な電力消費が発生するからである。本検討事項は、省電力に対するシナリオを検討するべきである。特に、ＵＥがＷＬＡＮ  ＡＰを利用不可能な場合、ＵＥがＷＬＡＮを連続して探すことを防ぐＷＬＡＮ発見のための効率的な手段。効率的なＷＬＡＮ発見メカニズムにおいては、ＵＥが自身のＷＬＡＮクライアントの電源を常にオン状態にしていることを想定していない。従って、ＷＬＡＮへのオフロードのためのＵＥの選択については、ＷＬＡＮ発見メカニズムごとに注意深く検討する必要がある。さらに、ＷＬＡＮへのオフロードのための候補ＵＥの選択については、ＷＬＡＮ  ＡＰまでの相対的な近接度に基づいてなされるべきではなく、バックホール待ち時間によるＷＬＡＮに適したサービスの適切性に基づいてなされるべきである。
【０３１３】
提案１：ＵＥのエネルギー消費を改善するために、ＷＬＡＮ ＡＰ発見における効率的な手段を検討しなければならない。
【０３１４】
ＷＬＡＮとのインターワーキングのために、オフロードに適したサービスを検討しなければならない。ＷＬＡＮ  ＡＰにより使用されるバックホールに関する信頼性の欠如と潜在的に増加している待ち時間などにより、ＶｏＩＰなどいくつかのサービスは、オフロードには適していないと思われる。一方、待ち時間許容型サービスは、オフロードの理想的な候補であると思われる。従って、ＲＡＮ２は、アクティブなサービスに基づいて、ＵＥの接続性を検討しなければならない。２つのシステム間で効率的なインターワーキングを達成するため、ＷＬＡＮに対するインバウンドモビリティとＷＬＡＮからのアウトバウンドモビリティとの両方に対するＵＥの挙動を検討しなければならない。ＷＬＡＮに対するインバウンドモビリティは、３ＧＰＰネットワークが１つ以上のＵＥのアクティブなサービスがＷＬＡＮにオフロードされるべきであると決定した場合、必要となる。ＵＥのアクティブなサービスはＷＬＡＮにオフロードされるが、ＵＥは、例えば、インカミングページ（着信）を受信するために、３ＧＰＰシステム上で、アイドル状態（IDLE）に維持されると仮定されている。ＵＥがＷＬＡＮに適さない新サービスを有効にする場合、ＷＬＡＮから３ＧＰＰシステムへのアウトバウンドモビリティのために必要な手順を検討しなければならない。さらに、ＷＬＡＮから３ＧＰＰシステムへ、すべてのサービスを転送する必要があるか否かを検討しなければならない、またはＷＬＡＮに対して適用不可能なサービスだけを３ＧＰＰシステムに転送するか否かを検討しなければならない。ＵＥが両システムに同時に接続する必要がある場合、ＵＥの電力消費も検討しなければならない。
【０３１５】
提案２：信頼性の高いモビリティを提供するために、ＷＬＡＮへのインバウンドモビリティとＷＬＡＮからのアウトバウンドモビリティに対するＵＥの挙動を検討しなければならない。
【０３１６】
付記１では、本検討事項において解決しなければならないいくつかのシナリオについて言及した。
【０３１７】
［付記２］
１.  はじめに
どうやってソリューション（ソリューション１、２、３）が必要要件を満たすかについての考察の結果、特に、ＡＮＤＳＦ（Access network discovery and selection function）およびＲＡＮルールに関するいくつかの不明点があるが、ソリューション２が全ての必要要件を満たすように思われる。付記２では、それらの差異と、トラフィックステアリングの必要要件を満たすためにどのように使用されるかと、について更なる説明を行う。ソリューション２は、ネットワーク選択のパラメータをＲＡＮからＵＥに提供可能であり、かつネットワーク選択のルール（ポリシー）に従ってネットワークの選択権をＵＥが持つ方式である。ソリューション２の必要要件を満たすことに関する更なる詳細については、付録にて説明する。
【０３１８】
２.  考察
２.１.  ＡＮＤＳＦ対ＲＡＮルール
ソリューション２に基づくほとんどの懸念事項が、ＡＮＤＳＦポリシーとＲＡＮルールとの関係から派生している。例えば、ある懸念事項は、ＵＥの挙動が予測不可能であることから派生し、また、ＡＮＤＳＦポリシーとＲＡＮルールとの間の不明瞭な関係により発生する潜在的なピンポン伝送から派生している。以下の諸問題に対する答えは、ＡＮＤＳＦとＲＡＮルールとの関係を明確にする手助けになるはずである。
【０３１９】
１）  ＡＮＤＳＦが利用不可能な場合、ＲＡＮルールは使用できるだろうか。
【０３２０】
ＡＮＤＳＦが利用不可能な場合、ＲＡＮは、ＵＥ間の統一された挙動を保証するルールを提供できるはずである。事前に静的なルールをＵＥに提供すると、基本的にＵＥ実装の問題であるので、予想不可能な挙動になってしまうだろう。この柔軟性がソリューション２の主な利点の１つである。
【０３２１】
２）  ＡＮＤＳＦがＵＥに対して利用可能な場合、ＵＥはどのルールに従うべきだろうか。ＡＮＤＳＦポリシー、ＲＡＮルール、それとも両方だろうか。
【０３２２】
現在は、「ＡＮＤＳＦポリシーがＵＥに提供された場合でも、ＵＥにより使用される好ましいルールを通知する選択肢をＲＡＮは有する。」と言われている。原則的には、ＡＮＤＳＦがＵＥにとって利用可能であり、ＵＥがＡＮＤＳＦをサポートしている場合、ＵＥはＡＮＤＳＦを使用することを許可されるべきである。しかし、混乱を避けるため、どのルールを使用するかの決定は、ＲＡＮ次第とする。ＲＡＮが、ＵＥが、利用可能なＡＮＤＳＦを有していると把握している場合、ＲＡＮは、ＵＥがＡＮＤＳＦを使用することを許可するべきである。ＲＡＮがＵＥにＲＡＮルールを使用するべきだと告知した場合、ＵＥがＡＮＤＳＦを使用する許可を与えれば、ＡＮＤＳＦの使用は全てのＵＥ間における一様挙動を妨げるＵＥ実装に委ねられるだろう。従って、ＲＡＮルールまたはＡＮＤＳＦポリシーのどちらか一方が、ＲＡＮの決定にしたがって使用され、その両方が使用されることはない。
【０３２３】
３）  ＡＮＤＳＦが一部のＵＥにだけ利用可能で全てのＵＥに利用可能ではない（恐らく、一部のＵＥはＡＮＤＳＦ対応ではない）場合、ＲＡＮは、ＡＮＤＳＦ対応でないＵＥに対してのみルールを提供できるだろうか。
【０３２４】
ＲＡＮルールまたはＡＮＤＳＦポリシーを与えるか否かはＲＡＮ次第である。混乱を避けるため、ＲＡＮルールは区別なく全てのＵＥに提供されるべきだと考える。
【０３２５】
４）  ローミング中のＵＥに対しても同じルールを適用するべきだろうか。ローミング中のＵＥは、ローミング中でないＵＥと同じＡＮＤＳＦを有するだろうか。ローミング中のＵＥは、ローミング中でないＵＥと同じように動作する必要はあるだろうか。
【０３２６】
繰り返すが、ＲＡＮルールまたはＡＮＤＳＦを使うか否かの決定は、ＲＡＮに一任されている。もしＵＥがＲＡＮから提供されたルールに基づいてトラフィックステアリングを実行すれば、ローミング中のＵＥの挙動は、オペレータにとって予想可能と言えるだろう。それは、負荷バランスにとっても好ましい。
【０３２７】
５）  ＵＥがＲＡＮからＲＡＮルールを使用してもよいと通達される場合、ＵＥ実装が許可されることはあるだろうか。
【０３２８】
ＲＡＮルールに従うと言ってもＵＥが自動的にＷＬＡＮをスキャンするわけではないし、トラフィックをＷＬＡＮへ向けるわけではない。ＲＡＮルールは、ＷＬＡＮスキャン最適化の一部として、充電レベル状態について、ＵＥも責任を負うことを仮定している。ＷＬＡＮスキャン最適化の詳細は、今後の検討が必要である。ＲＡＮからＷＬＡＮへのトラフィックステアリングにおいて、ＵＥは、ＲＡＮルールで規定されたＤＲＢに基づいて、方向を切り替えるトラフィックを選択する。ＷＬＡＮからＲＡＮへ方向を切り替えられるトラフィックの選択において、ＵＥは、もし利用可能であれば、ＩＦＯＭ使用し、またはＵＥ実装を使用してもよい。
【０３２９】
表１には、ＲＡＮルールとＡＮＤＳＦとの関係（適用されるポリシー／ルールの概要）がまとめられている。
【０３３０】
【表１】
0005952921.tif 000002
【０３３１】
上記明瞭にした点に基づいて、以下の結論に達した。
【０３３２】
ソリューション２において、ＲＡＮは、ＵＥがＲＡＮルールまたはＡＮＤＳＦポリシーを使用するか否かを決定する。
【０３３３】
提案１：  ＲＡＮが、ＵＥがＲＡＮルールを使用するべきだと決定した場合、ＵＥは、ＡＮＤＳＦが利用可能であっても、ＲＡＮルールだけを使用する。
【０３３４】
提案２：  ＲＡＮが、ＵＥがＲＡＮルールを使用するべきだと決定した場合、ＲＡＮからＷＬＡＮへのトラフィックステアリングは、オフロードのために選択されたデータベアラを定義するトラフィック情報に従う。
【０３３５】
提案３：  ＷＬＡＮからＲＡＮへのトラフィックステアリングにおいて、ＵＥは、トラフィックをＵＥ実装またはＩＦＯＭ（利用可能な場合）に従って選択してもよい。
【０３３６】
２.２.  負荷情報についての明瞭化
先の考察では、ＲＡＮからＷＬＡＮへのトラフィックステアリングのトリガとして、ＲＡＮがＵＥにその負荷を通知してもよいという提案があった。そのような通知は、オペレータにとって何の利点もない。ロードバランスにおいて、ソリューション２は、所望のオフロードのレベルを変更するため、ＲＡＮに３ＧＰＰ  ＲＡＮ  ＲＳＲＰ、ＲＳＣＰ、ＷＬＡＮ  ＢＳＳ負荷、およびＷＬＡＮ  ＲＳＳＩの閾値を調整させる。さらに、アクセスネットワークの選択の精度は、負荷情報など間接的メトリックスよりも直接的メトリックスを使用することで改善もされている。
【０３３７】
また、図２９に示すように、ソリューション２は、非効率なスキャン、オフロード通知を使ったトラフィックステアリングを防ぐことができる。負荷レベルが上昇すると、ＲＡＮは、オフロード通知をＵＥに送信することにより、ネットワークの選択を推奨する。ＵＥは、この通知をトリガとしてネットワークの選択を開始する。このようなオフロードの通知を使用すると、特に、ユーザが節電のためにＵＥのＷＬＡＮモジュールの電源をオフ状態にするような場合、ＷＬＡＮの不必要なスキャンが防止される。ＵＥは、オフロード通知を受信する場合、ＷＬＡＮモジュールの電源をオン状態にする。
【０３３８】
提案４：  ソリューション２において、ＲＡＮは、ＲＡＮからＷＬＡＮへオフロードする意志をＵＥに伝えるオフロード通知を送信してもよい。
【０３３９】
提案５：  たとえＵＥがオフロード通知をＲＡＮから受信しても、ＵＥは、ＵＥ実装、例えば、バッテリのレベルなどに基づいて、ＷＬＡＮスキャンが好ましいか否かを判別する選択肢を有する。
【０３４０】
なお、図２９の左側には、トラフィックステアリングを実行する必要がないケースが示される。図２９の右側には、オフロード通知を使用してＵＥがネットワークの選択を開始するケースが示される。
【０３４１】
３.  結論
付記２において、特に、不明点に対する説明が更になされ、ソリューション２の改良点を示し、該ソリューションが全ての必要要件を満たすと結論付けた。
【０３４２】
４.  付録
４.１.  必要要件充足評価
ＡＮＤＳＦとＲＡＮルールとを上記の通り明確化したことにより、ソリューション２が必要要件を満たすか否かを再検討することが興味深いと思われる。
【０３４３】
必要要件１：
ソリューション２は、ＡＮＤＳＦまたはＲＡＮルールを利用することによって、ＲＡＮ負荷とＷＬＡＮ負荷ＡＰとの間の適切なバランスを達成する。特に、ＲＡＮルールは、３ＧＰＰ／ＷＬＡＮ信号およびＷＬＡＮ負荷用の閾値を規定し、明確にＲＡＮの負荷情報を提供せずに、トラフィックステアリングを制御する。ＵＥがＡＮＤＳＦを利用可能であっても、ＲＡＮは、ＡＮＤＳＦまたはＲＡＮルールが二者間で潜在的に対立しないよう利用されるか否かを判別する。
【０３４４】
ＵＥがＡＮＤＳＦを利用不可能な場合、もし、スマートＵＥ実装を用いても、ＵＥにより使用されるポリシーは、異なる場合があるため、オフロードの結果は、不確かな可能性がまだある。ＲＡＮルールがあれば、ＵＥの挙動は予測可能であり、その結果、予測可能なオフロード制御が可能である。
【０３４５】
ソリューション１と違って、ソリューション２では、より正確なオフロード制御を可能とするルールを付与するタイミングをＲＡＮが制御できる利点を有する。動的に負荷制御を実施するために、ＲＡＮは、タイムリーにアクセスネットワークを選択可能にするために必要な閾値を調整する選択肢を有する。
【０３４６】
必要要件２：
ＲＡＮ／ＷＬＡＮの信号品質とＷＬＡＮ負荷とを反映するルールを規定することによって、ユーザ体験が改善する可能性がある。ユーザ体験およびネットワークの性能の両方が改善するように、ＲＡＮは閾値を規定し、既存の３ＧＰＰ測定レポート、ＲＡＮ状態、ＵＥにより生成される相対的負荷を考慮に入れる。
【０３４７】
ソリューション２は、ＵＥに基づいたアクセスネットワーク選択ソリューションであるので、単なるＤＲＢではなく、ＩＰフローをステアリングするようなＵＥ固有のニーズは、より少ないシグナリングで、より簡単に実現されると思われる。
【０３４８】
必要要件３：
ＷＬＡＮの利用を改善するためには、ユーザ体験を改善し、バッテリ消費の削減が必要である。この観点から、ソリューション２は、所望の結果を達成するため、ＵＥにバッテリレベル、ＷＬＡＮへの近接、ＱｏＳを考慮させることにより、必要要件を満たしている。
【０３４９】
ランダム化を適用して、過剰な数のＵＥがＷＬＡＮに同時にアクセスすることを防止してもよい。
【０３５０】
さらに、ＲＡＮからのオフロード通知を使用して、不必要なＷＬＡＮスキャンを防止してもよい。通知が起動された場合のみ、ＵＥはこの手順を開始する。
【０３５１】
必要要件４：
特定のＲＡＮの条件が満たされた場合のみ、ＵＥがＷＬＡＮスキャンを行うことを許可するルールを規定することにより、バッテリ消費を削減できる可能性がある。例えば、ＲＳＲＰが特定の閾値未満の場合のみ、ＵＥにＷＬＡＮチャンネルをスキャンさせることによって、ＵＥの電力消費は削減される可能性がある。
【０３５２】
必要要件５：
もしＲＡＮがＵＥはＡＮＤＳＦを使用しなければならないと決定した場合、ＡＮＤＳＦに基づいてトラフィックステアリングを行ってもよい。もしＡＮＤＳＦが利用不可能であって、ＲＡＮがＵＥはＲＡＮルールを使用すべきだと決定した場合、ＲＡＮは、ＷＬＡＮにオフロードするためにはどのトラフィックが最良かを決定してもよい。
【０３５３】
必要要件６：
ソリューション２は、既存の３ＧＰＰおよびＷＬＡＮの機能性には影響を及ぼさないので、従来のシステムに影響しない。
【０３５４】
必要要件７：
ソリューション２は、既存のＷＬＡＮスキャン／コネクション機構に従うので、ＩＥＥＥやＷＦＡに影響しない。
【０３５５】
必要要件８：
ＷＬＡＮシステムの区別が可能になるように、ＲＡＮは、ＵＥに対して、ＷＬＡＮサービスセット識別子からなるホワイトリスト（またはブラックリスト）を提供してもよい。ＳＳＩＤ−閾値毎に提供してもよい。
【０３５６】
さらに、ソリューション２は、ＡＮＤＳＦのみに基づいて、オフロード用のＷＬＡＮ専用システムを定義することが可能である。ＲＡＮポリシーは、既存のＡＮＤＳＦポリシーも利用可能である。
【０３５７】
必要要件９：
本必要要件は、特定のＵＥ用の個別のシグナリングを利用することによって達成可能である。
【０３５８】
必要要件１０：
ランダム化を利用し（例えば、ＵＥは、目標セルにアクセス可能か否かをテストする前にランダムバックオフを実行する）、ＵＥごとの個別のアシスタント情報（例えば、閾値）を提供することによって、ピンポン伝送を防ぐことが可能である。追加の機構が必要か否かは、今後の検討が必要である。
【０３５９】
［付記３］
ルールの例：
ＡＮＤＳＦが利用不可能な場合（またはＲＡＮによって推奨されていない）
if RAN RSRP < x or offloading indicator == yes
if WLAN RSSI > y and WLAN BSS load < z
offload from RAN to WLAN
else if RAN RSRP > x’
if WLAN RSSI < y’ or WLAN BSS load > z’
offload from WLAN to RAN
else  受信したアシスタント情報をＵＥのインターワーキング上層に転送する
なお、パラメータｘ、ｘ’、ｙ、ｙ’、ｚ、ｚ’はネットワークにより提供される。
【０３６０】
・“If ＲＡＮ ＲＳＲＰ < x or offloading indicator == yes” and “if ＷＬＡＮ RSSI > yと、ＷＬＡＮ BSS load < z”との間で分割
if ＲＡＮ ＲＳＲＰ > x and offloading indicator == no  not signaledの場合、動機付けとして、ＵＥはスキャン最適化が許可される（ＷＬＡＮクライアントオフを含む）。そして、スキャン最適化を適用するか否かに拘わらずＵＥはＲＡＮ  ＲＳＲＰ測定を行う。
【０３６１】
・２つの閾値、「If ＲＡＮ ＲＳＲＰ < x」および「offloading indicator == yes」を有する理由
もしＲＡＮが所望のオフロードを通知しなくても、ＵＥは、ＷＬＡＮ用のスキャンを希望すると思われる。それは、ＲＡＮが、どれくらいの潜在的なＵＥ（すなわち、ＲＳＲＰ > xのＵＥ）がオフロードされないかを判別する１つの方法である。そうすれば、ＵＥは依然としてＷＬＡＮ測定をｅＮＢに報告するが、ＷＬＡＮへのオフロードのターゲットにはならないだろう。ＭＤＴのようなもの。従って、ＲＡＮは、将来、「ｘ」の調整の精度を向上することができる。これは、個別のシグナリングにのみ適用できる。
【０３６２】
・The reason “if WLAN RSSI < y’ or WLAN BSS load > z’”。この場合、UEは、ＷＬＡＮからＲＡＮにオフロードすべきである。
【０３６３】
ＷＬＡＮからＲＡＮへのオフロードの決定がＵＥ実装またはＡＮＤＳＦ次第ということは危険である。ここで重要なことは、ＵＥがトラフィックをＷＬＡＮからＲＡＮへ切り替えるかどうかを判別する際に、ＲＡＮルールがさらに適用可能であることだ。しかし、ＷＬＡＮからＲＡＮに切り替えるトラフィックの選択は、ＵＥ実装に基づくものである（つまり、ＲＡＮルールに適応したＵＥは、ＷＬＡＮに移動したら、ＲＡＮルールはＵＥの間に使用されるべきである。従って、ＵＥが適応するＲＡＮルールは、不必要なピンポン伝送用ネットワークの選択を防ぐために、（ＲＡＮに戻った後）ＵＥが、更新されたパラメータを受信するまで、該ＲＡＮルールを維持しなければならない。なお、ルール嗜好インジケータは、上記「更新されたパラメータ」に含まれる。
【０３６４】
・オフロード嗜好インジケータの必要性
リスト化されたパラメータは、個別のシグナリングまたはブロードキャストのシグナリングにより提供される。（更に詳細には、全てのリスト化されたパラメータが個別のシグナリングにより提供されているのか否か、またはいくつかのパラメータがブロードキャストシグナリングにより提供できるのか否か）。ＲＳＲＰ閾値とＷＬＡＮに関する閾値がブロードキャスト信号により提供され、一方、残りのパラメータが個別のシグナリングにより提供される状況があれば、ＲＡＮは、ＲＳＲＰ閾値を大幅に変更するべきではない。その後、オフロード嗜好インジケータは、ネットワークが、ＷＬＡＮに近接するＵＥだけをＷＬＡＮに移動させるために有効になる（ネットワークがＷＬＡＮとＵＥの位置を知っている場合）。
【０３６５】
当然、ネットワークが、更新されたパラメータｘ、ｙ、ｚを、オフロード嗜好インジケータではなく、個別のシグナリングで送信するという別の可能性もある。
【０３６６】
上記手順をまとめると、ＵＥは、以下の表２に記載したルールに従う。
【０３６７】
【表２】
0005952921.tif 000003
【０３６８】
［相互参照］
米国仮出願第６１／７５４１０６（２０１３年１月１８日出願）及び米国仮出願第６１／８６４２０６（２０１３年８月９日出願）の全内容が、参照により、本願明細書に組み込まれている。
【産業上の利用可能性】
【０３６９】
本発明は、無線通信分野において有用である。
【図１】
0005952921.tif 000004
【図２】
0005952921.tif 000005
【図３】
0005952921.tif 000006
【図４】
0005952921.tif 000007
【図５】
0005952921.tif 000008
【図６】
0005952921.tif 000009
【図７】
0005952921.tif 000010
【図８】
0005952921.tif 000011
【図９】
0005952921.tif 000012
【図１０】
0005952921.tif 000013
【図１１】
0005952921.tif 000014
【図１２】
0005952921.tif 000015
【図１３】
0005952921.tif 000016
【図１４】
0005952921.tif 000017
【図１５】
0005952921.tif 000018
【図１６】
0005952921.tif 000019
【図１７】
0005952921.tif 000020
【図１８】
0005952921.tif 000021
【図１９】
0005952921.tif 000022
【図２０】
0005952921.tif 000023
【図２１】
0005952921.tif 000024
【図２２】
0005952921.tif 000025
【図２３】
0005952921.tif 000026
【図２４】
0005952921.tif 000027
【図２５】
0005952921.tif 000028
【図２６】
0005952921.tif 000029
【図２７】
0005952921.tif 000030
【図２８】
0005952921.tif 000031
【図２９】
0005952921.tif 000032